(57)【特許請求の範囲】
【請求項１】
複数の画像と、前記複数の画像のうち再生すべき画像を特定するための再生指示情報が記述されている再生指示ファイルとが記録されている記録媒体を装着する装着部と、
前記装着部に装着された前記記録媒体から前記再生指示ファイルを読み出す読み出し手段と、
前記読み出し手段により読み出された前記再生指示ファイルに記述されている再生指示情報で特定される複数の画像を、前記記録媒体から自動的に順次読み出して画像再生出力データを生成する画像再生処理手段とを有し、
前記画像再生処理手段は、再生指示情報で特定される画像が前記記録媒体に記録されているか否かを判断し、前記記録媒体に記録されていないと判断した場合は、当該画像の画像再生出力データの生成は行わずにスキップし、次の再生指示情報で特定される画像の画像再生出力データの生成を行うことを特徴とする画像処理装置。
【請求項２】
前記再生指示情報は再生すべき画像のファイル名であることを特徴とする請求項１に記載の画像処理装置。
【請求項３】
さらに、前記画像再生処理手段により生成された画像再生出力データを受けて再生出力する再生出力手段を有することを特徴とする請求項１ないし２のいずれか１項に記載の画像処理装置。
【請求項４】
前記再生出力手段は、プリンタであることを特徴とする請求項３に記載の画像処理装置。
【請求項５】
前記再生出力手段は、表示装置であることを特徴とする請求項３に記載の画像処理装置。
【請求項６】
さらに、前記スキップされた画像のファイル名を記憶するメモリを有することを特徴とする請求項１ないし５のいずれか１項に記載の画像処理装置。
【請求項７】
さらに、前記スキップされた画像のファイル名を表示する表示部を有することを特徴とする請求項１ないし６のいずれか１項に記載の画像処理装置。
【請求項８】
複数の画像と、前記複数の画像のうち再生すべき画像を特定するための再生指示情報が記述されている再生指示ファイルとが記録されている記録媒体から前記再生指示ファイルを読み出す読み出し工程と、
前記読み出し工程で読み出された前記再生指示ファイルに記述されている再生指示情報で特定される複数の画像を、前記記録媒体から自動的に順次読み出して画像再生出力データを生成する画像再生処理工程とを有し、
前記画像再生処理工程では、再生指示情報で特定される画像が前記記録媒体に記録されているか否かを判断し、前記記録媒体に記録されていないと判断した場合は、当該画像の画像再生出力データの生成は行わずにスキップし、次の再生指示情報で特定される画像の画像再生出力データの生成を行うことを特徴とする画像処理方法。
【請求項９】
さらに、前記画像再生処理工程で生成された画像再生出力データを受けてプリントするプリント工程を有することを特徴とする請求項８に記載の画像処理方法。
【請求項１０】
さらに、前記スキップされた画像のファイル名をメモリに記憶する工程を有することを特徴とする請求項８ないし９のいずれか１項に記載の画像処理方法。
【請求項１１】
さらに、前記スキップされた画像のファイル名を表示する表示工程を有することを特徴とする請求項８ないし１０のいずれか１項に記載の画像処理方法。
【請求項１２】
請求項８ないし１１のいずれか１項に記載の画像処理方法をコンピュータに実行させるためのプログラムを記憶したコンピュータで読取り可能な記憶媒体。
【発明の詳細な説明】
【０００１】
【発明の属する技術分野】
本発明は、例えばフロッピー（登録商標）デスクやカードメモリなどの情報記録媒体に記録された画像データを用いて所望の再生画像を得るため及び情報記録媒体のデータを編集することができる画像処理方法及び装置及び画像データファイルを記録した記録媒体及び画像処理プログラムを記録した記録媒体に関する。
【０００２】
【従来の技術】
従来、手持ちの画像データを再生する一般的な方法として、写真の焼き増しサービスがある。この焼き増しサービスは、現像されたフィルムが収納される半透明のネガカバー（ネガホルダー）に焼き増し枚数や印を記入して、現像所等に持ち込むことにより、現像所等では、再生する（焼き増しする）画像を特定して、所望の画像を焼き増しすることにより行われる。また、最近、フィルム上の画像を読み取り、読み取った画像データをＣＤ−ＲＯＭに書き込み、このＣＤ−ＲＯＭから画像データを読み出して、ディスプレー等の画像表示装置に再生表示するフォトＣＤシステムがある。フォトＣＤシステムでは、コンピュータシステムにて、ＣＤ−ＲＯＭ上に記録された画像データを読みだして、高画質プリンタで出力することにより、プリント画像を得ることができる。高画質プリンタは高価であり、個人が所有することは困難である為、プリント画像を得ることは現像所等にプリントサービスを依頼して行われるのが普通である。依頼の方法としては、ＣＤ−ＲＯＭと該ＣＤ−ＲＯＭに記録されている画像データを特定する為の情報（例えば、インデックスプリント等で確認される画像番号等）を書いたメモを渡す方法が一般的である。
【０００３】
更に、コンピュータ技術の向上及びパーソナルコンピュータの普及、デジタルカメラ等の画像入力装置の普及にともなって、気軽に高精細のデジタル画像データを、個人が扱えることが可能になった。これらの画像データは、例えばＴＩＦＦ、ＰＩＣＴ、ＪＰＥＧ及びＲＡＷ等の種々の画像ファイルフォーマットで、所定の情報記録媒体に記録される。このような画像データは、通常は、個人の所有するコンピュータに接続するプリンタで出力される。しかしながら、個人の所有するプリンタでは、満足のいくプリントが出来ないことがある。この様な要求に応える為に、上記の様にして情報記録媒体に記録された画像データについて、高性能のプリンタで出力再生するプリントサービスが、現像所や写真店、ＤＰＥショップあるいはパソコンショップで受けられることができる。このようなサービスを受けるためには、プリントサービスを行ってくれるところに画像データを渡してプリントを依頼しなければならない。通信回線を介して、画像データを送りプリントを依頼することも最近可能であるが、通常は画像データが記録された情報記録媒体を、サービス先に渡してあるいは持ち込んでサービスを受けるのが一般的である。
【０００４】
【発明が解決しようとする課題】
しかしながら、上述の様に情報記録媒体に記録された画像データについて、画像プリントのサービスを受ける場合、情報記録媒体に記録されている画像データの中から所望の画像を指示する事が必要となる。この為、プリントサービスを受ける客は、情報記録媒体に記録されている画像データの中の所望の画像を指示するべく、画像にしるされている番号や名称をメモ等により、画像プリントサービス先に伝えることが必要である。一方、画像プリントサービス先では、プリントサービスを依頼する客から渡されたメモ等に書かれている画像に記されている番号や名称をもとに、情報記録媒体に記録されている画像データの中から、客の所望する画像を人手を介して選定して、プリントすることが必要となる。
【０００５】
一般に、上記のようなプリントサービスを行う為のコンピュータシステムは、煩雑な操作が必要である。従って、一般の店員が、プリントする画像を選択しプリントを実行することは、容易にはできなかった。また、情報記録媒体に記録されている画像データの中から、所望の画像を選択することが必要である為、実際にプリントする為には人手を要し、プリントに要する時間が制限されるという問題があった。
【０００６】
本発明はこのような従来技術の課題を解決し、情報記録媒体に記録された画像の中から所望の画像を自動的に特定して、この画像が形成されたプリントを迅速に得ることのできる、画像ファイル方法及び画像再生方法を提供することを目的とする。
【０００７】
一方、更に、上記発明の更なる改良についても考慮すると、記録媒体に記録された画像再生指示データを用いて、自動的に画像再生すべきデータを選択して画像再生を行うので、再生画像を再生する前に再生画像を確認することは、何らかの手段をこうじなければできないという課題が考えられる。
【０００８】
この手段の一例としては、該情報記録媒体に記録されている画像再生指示データを該情報記録媒体にアクセスできる装置を用いて調べる方法等があるが、記録媒体のやり取りなどが必要となり面倒である。
【０００９】
また、画像再生指示データに従って再生出力されるプリント枚数の総数が上記システムおよび装置でその時に出力可能な枚数を超えている時は、途中で出力ができなくなり、システムエラー等が発生するという課題も考えられる。
【００１０】
上記の発明の別の改良についても考慮すると、また、情報記録媒体にアクセスして、該情報記録媒体において、画像データを記録及び消去したり、画像再生指示データを付与したり削除したりする情報記録媒体データ編集方法が考えられる。また、この編集方法を取り込んだ情報記録媒体データ編集処理部を持つ、画像入力装置やパーソナルコンピュータ等のシステムが考えられる。この場合、情報記録媒体に記録されている画像データそのものについて、新たな画像データを記録したり、不要となった画像データを削除したりすることができ、情報記録媒体の容量等について有効利用することができる。
【００１１】
しかしながら、上記情報記録媒体データの編集に当たって、画像データの記録・削除の処理と再生画像データの指示（選択・非選択）処理について注意を払わないと、画像再生時に再生エラーが生じることがあると考えられる。例えば、すでに情報記録媒体に記録されている画像データで、画像再生をするべく画像再生指示データとして選択の指示を与えた画像データについて、必要によりその画像を情報記録媒体から削除した時に、削除した画像データについて、その画像再生指示データを非選択とする処理を行わなかった時等に、画像再生すべきと指示されている画像データが、実際には情報記録媒体にないことになり、画像再生動作はエラー終了することになる。このような動作は、自動的に画像再生を行う時には、動作が異常終了することになり、致命的な動作エラーとなると考えられる。
【００１２】
【課題を解決するための手段】
前述の問題を解決するため、本発明は、
複数の画像と、複数の画像のうち再生すべき画像を特定するための再生指示情報が記述されている再生指示ファイルとが記録されている記録媒体を装着する装着部と、装着部に装着された記録媒体から再生指示ファイルを読み出す読み出し手段と、読み出し手段により読み出された再生指示ファイルに記述されている再生指示情報で特定される複数の画像を、記録媒体から自動的に順次読み出して画像再生出力データを生成する画像再生処理手段とを有し、画像再生処理手段は、再生指示情報で特定される画像が記録媒体に記録されているか否かを判断し、記録媒体に記録されていないと判断した場合は、当該画像の画像再生出力データの生成は行わずにスキップし、次の再生指示情報で特定される画像の画像再生出力データの生成を行うことを特徴とする。
【００１３】
また、本発明の画像処理方法は、
複数の画像と、複数の画像のうち再生すべき画像を特定するための再生指示情報が記述されている再生指示ファイルとが記録されている記録媒体から再生指示ファイルを読み出す読み出し工程と、読み出し工程で読み出された再生指示ファイルに記述されている再生指示情報で特定される複数の画像を、記録媒体から自動的に順次読み出して画像再生出力データを生成する画像再生処理工程とを有し、再生制御工程では、再生指示情報で特定される画像が記録媒体に記録されているか否かを判断し、記録媒体に記録されていないと判断した場合は、当該画像の画像再生出力データの生成は行わずにスキップし、次の再生指示情報で特定される画像の画像再生出力データの生成を行うことを特徴とする。
【００１４】
【発明の実施の形態】
次に、添付図面を参照して本発明による画像ファイル方法及び画像再生方法の実施例について詳細に説明する。
【００１５】
（各画像データ内に画像再生指示データ）
まず、図１に本実施例における情報記録媒体への画像ファイル形式を示す。
【００１６】
本実施例において、図１のａに示す様に、情報記録媒体は、予約領域、ファイルアロケーションテーブル、ルートディレクトリ及びファイル領域の４つの独立したエリアにマッピングされる。予約領域には、本情報記録媒体に関して、ルートディクトリ内のエントリ数、予約領域のサイズ及びファイルアロケーションテーブル（ＦＡＴ）のサイズが記録される。
【００１７】
ファイルアロケーションテーブルには、本情報記録媒体のファイル領域における情報記録媒体スペースの使われ方が記録される。ルートディレクトリには、本情報記録媒体に記録されているファイル名やサイズや位置等の情報を示すディレクトリエントリ情報が記録される。ファイル領域には実際の画像データや画像再生指示データが記録される。
【００１８】
本実施例では、図１のｂに示すように、画像再生指示データと画像データは同一のファイルとして記録される。このファイル名を以下では説明の都合上’ＩＭＧｘｘｘ’とする。’ｘｘｘ’は複数の画像を区別する為に異なる文字や数字等が当てられる。本実施例では、画像再生指示データが、該ファイルの先頭に記録され、引き続き画像データが記録される。画像データは、本実施例ではＪＰＥＧデータの形式で記録される。ＪＰＥＧ形式で記録された画像データは、本来の画像データを圧縮した形で画像データが記録され、この圧縮した画像を復元して本来の画像データに戻すための情報も、図１のｃに示す様に、ヘッダー情報として画像データの一部として記録される。このヘッダー情報には画像サイズ等の情報も含まれる。
【００１９】
次に、図２に本実施例における画像再生方法を行う画像再生システム（装置）を示す。
【００２０】
この画像再生装置（システム）は、情報記録媒体１１に記録された画像の中から所望の画像を自動的に選択して、その選択された画像データが表す画像を再生出力（プリント）する装置（システム）である。前記情報記録媒体１１は、本実施例ではＣＦ（コンパクトフラッシュ（登録商標）メモリカード）を用いた。尚、これに限るものではなく、フロッピー（登録商標）、ＣＤ−Ｒ，ＤＶＤ等であってもよい。詳しくは、画像再生システム（装置）１０は、情報記録媒体１１に記録されている画像再生指示データ及び画像データの記録データを読みだして、該記録データをバス１６に送出するデータ読み取り部１２と、本画像再生システム１０の各部を制御してシステム全体の動作を制御するシステム制御部１５と、システム制御部１５の制御を受けてデータ読み取り部１２で読み取られ、バス１６に送出された画像データを受けて、この画像データを再生出力するための再生出力データに変換して出力する処理を行う画像再生処理部１４と、前記再生出力データを受けて再生出力（プリント）する画像再生部１３とから構成される。尚、システム制御部１５には、不図示のＣＰＵ，ＲＯＭ，ＲＡＭ等が含まれることはいうまでもない。
【００２１】
次に、本実施例の画像再生システム（装置）１０の動作を説明する。図３に本実施例の画像再生システムの動作フローを示す。本動作フローで表わされるプログラムは、画像再生システム１０のシステム制御部１５のＲＡＭやハードデスク等にセットされる。
【００２２】
本画像再生システム１０が電源投下等により立ち上げられると、本動作フローが読み出され実行される。
【００２３】
まず、ステップ３００で、データ読み取り部１２に情報記録媒体１１がセットされたかどうかを確認する。情報記録媒体１１がセットされたことが確認されると、ステップ３０１に進み、データ読み取り部１２で図１で示した情報記録媒体１１に記録されているファイルの中の先頭のＩＭＧｘｘｘファイルが読み込まれる。次に、ステップ３０２で、読み込んだＩＭＧｘｘｘファイルの中に記録されている画像再生指示データがｏｎになっているかどうか確認される。本実施例では、画像再生指示データはＩＭＧｘｘｘファイルの先頭の１ｂｙｔｅに割り当てられており、その値が１０進数表示で１である時はｏｎ状態を示し、それ以外はｏｆｆ状態を示す。
【００２４】
入力側について説明すると、本データは、パソコンやデジタルカメラ等の入力手段を用いて指定される。本データは、撮像時に再生の有無を判断して与えると共に、あるいは一度蓄え、記録されたデータを読み出して、再生の必要性を確認しながら再生が必要な画像に付加される。本実施例では、記録側の制御の説明が中心であるが、本実施例に記載されるフォーマットで、記録媒体に画像を記録する入力手段例えばデジタルカメラも本発明を構成することは言うまでもない。この場合、付図示のコントローラにより、画像の入力制御及び対応して入力される記録再生指示データを本実施例に記載のフォーマットに基づいて記録媒体に記録する記録制御と或は更に対応する記録制御プログラムも同様に記録媒体に記録する制御も行なっている。
【００２５】
従って、ＩＭＧｘｘｘファイルの先頭１ｂｙｔｅのデータを解析することにより容易に画像再生指示データの状態を確認することができる。画像再生指示データがｏｆｆである（ｏｎでない）時は、本実施例の動作はステップ３０５、３０６に進む。更にＩＭＧｘｘｘファイルがある場合は、ステップ３０２に戻り、画像再生指示データがｏｎである時は、本実施例の動作はステップ３０３に進み、前述した様に、ＩＭＧｘｘｘファイルに格納されている画像データについて、画像再生処理部１４で画像再生出力（プリント）の為の画像再生出力処理が実行され、画像再生出力データが生成される。生成された画像再生出力データは、ステップ３０４で、画像再生部１３にて再生出力される。
【００２６】
本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを汲゜る処理、色処理、解像度変換処理及びハーフトーニング処理等の処理がなされる。これらの各処理は、周知であるため説明を省略する。次に、本実施例の画像再生システムは、ステップ３０５で、情報記録媒体１１にアクセスしてＩＭＧｘｘｘファイルが更にあるかどうかを確認する。ＩＭＧｘｘｘファイルが更にある場合は、ステップ３０６に進み、次のＩＭＧｘｘｘファイルを読み込み、ステップ３０２に進む。ステップ３０５で、ＩＭＧｘｘｘファイルがないと判断された場合は、本実施例の画像再生システムの動作は終了する。
【００２７】
上述のようにして、本実施例の画像再生システムは、本実施例の画像ファイル方法で、データが記録された情報記録媒体から、所望の画像データを自動的に選んで、画像再生出力を行うものである。従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。
【００２８】
なお、この実施例において、画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４で施される処理が変更されればよく、本発明は用いる画像データの種別には限定されない。
【００２９】
更に、この実施例では、画像再生装置としてインクジェットプリンタを用いたが、これに限らず、昇華プリンタや銀塩プリンタを用いてもよい。あるいは、ＣＲＴ，ＬＣＤやプラズマディスプレー等のソフトコピー表示装置を用いてもよい。これらの場合も用いたそれぞれのプリンタやソフトコピー表示装置に依存した処理を行うように、本実施例で示した画像再生処理部１４での処理を変更すればよく、本発明は用いる画像再生装置に限定されるものではない。また、この実施例では、画像再生指示データが、画像再生指示データと画像データが記録されるファイルの先頭の１バイト目に記録され、その内容が１０進数表示１の場合にＯＮでそれ以外はＯＦＦとしたが、本発明はこれに限定されるものではない。例えば、ファイルの先頭の２バイトの領域に記録されてもよく、ファイルの最後の１バイトに記録されてもよい。更に、ＪＰＥＧ画像データのように画像ヘッダーをもつ画像データの場合には画像ヘッダーの一部の領域がユーザ拡張用に開放されている場合があり、このような場合には、その拡張領域の一部を用いて、画像再生指示データを記録してもよい。
【００３０】
画像再生指示データの内容も、本実施例で示した様に、１０進数表示で１の場合にＯＮでそれ以外はＯＦＦとする事に限定されるものでもない。画像再生指示データのファイル上の記録位置、記録サイズ及び記録内容は上記の様に任意でよい。本発明の画像再生システムは、上記のように任意でよいが予め決められた、画像再生指示データのファイル上の記録位置及び記録サイズを基に対応する位置の記録データを解析して、その内容が予め決められた記録内容にどのように対応するかを判断して、該ファイルに含まれる画像データを再生するかどうかを決める。従って、ファイルに、画像データと当該画像データの再生の有無を指示する画像再生指示データが記録されていればよく、記録位置、記録サイズ、記録内容や記録順番等には限定されない。
【００３１】
（他の実施例：記録ファイルの名称に特別の印をつける）
前述の実施例では、当該画像データの再生の有無を指示する画像再生指示データとして、図１では、記録ファイルに画像データと画像再生指示データを記録する構成としたが、本発明を実施する他の方法として、記録ファイルの名称に特別の印をつけることにより実行する方法もある。以下、この場合の実施例を説明する。図４に本実施例における情報記録媒体への画像ファイル形式を示す。本実施例においても、図４ａに示す様に、情報記録媒体は予約領域、ファイルアロケーションテーブル，ルートディレクトリ及びファイル領域の４つの独立しエリアにマッピングされる。前述の実施例と異なる点は、ルートディクトリに記録されるファイル名が、画像再生指示データとしての情報をもつようにしたことである。本実施例では、画像再生を行うべき画像データについての名称には、’ＤＰ’を付加した。
【００３２】
即ち、そのファイル名が’ｘｘｘＤＰ’ならば、そのファイル名に対応する画像データは画像再生される画像データであることを示し、ファイル名が’ｘｘｘ’だけであれば、そのファイル名に対応する画像データは画像再生されないことを示す。尚、名称の内、拡張子をある特定の識別子にして、画像再生するイメージとしないイメージを区別する様にしてもよい。
【００３３】
本実施例における画像再生を行う画像システムは、前述の実施例の画像再生システムと同様の構成を取る。
【００３４】
次に、本実施例における画像再生システム１０の動作を説明する。
【００３５】
図５に本実施例の画像再生システムの動作フローを示す。
【００３６】
本動作フローで表わされるプログラムは、画像再生システム１０のシステム制御部１５のＲＡＭやハードデスク等にセットされる。
【００３７】
本画像再生システム１０が電源投下等により立ち上げられると、本動作フローが読み出され実行される。まず、ステップ５００で、データ読み取り部１２に情報記録媒体１１がセットされたかどうか確認される。情報記録媒体１１がセットされたことが確認されると、ステップ５０１に進み、データ読み取り部１２で、情報記録媒体１１に記録されているルートディクトリの内容を参照して、ファイル名が’ｘｘｘＤＰ’のファイルがあるかどうかが調べられる。’ｘｘｘＤＰ’名のファイルがない時は本実施例の動作は終了する。’ｘｘｘＤＰ’名のファイルがある時は、ステップ５０２でファイル領域の中の先頭の’ｘｘｘＤＰ’名のファイル（図４ｂ）が読み込まれる。
【００３８】
次に、ステップ５０２で、読み込んだ’ｘｘｘＤＰ’名のファイルに格納されている画像データについて、画像再生処理部１４で画像再生出力（プリント）の為の画像再生出力処理が実行され、画像再生出力データが生成される。生成された画像再生出力データは、ステップ５０４で、画像再生部１３にて再生出力される。本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを求める処理、色処理、解像度変換処理及びハーフトーニング処理等の処理がなされる。
【００３９】
次に、本実施例の画像再生システムは、ステップ５０５で、情報記録媒体１１にアクセスして’ｘｘｘＤＰ’名のファイルが更にあるかどうかを確認する。’ｘｘｘＤＰ’名のファイルが更にある場合は、ステップ５０６に進み、次のＩＭＧｘｘｘファイルを読み込み、ステップ５０３に戻る。尚、ステップ５０５で’ｘｘｘＤＰ’名のファイルがない場合は、本実施例の画像再生システムの動作は終了する。上述のようにして、本実施例の画像再生システムは、本実施例の画像ファイル方法で、データが記録された情報記録媒体から、所望の画像データを自動的に選んで、画像再生出力を行うものである。従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。なお、この実施例においても、画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４で施される処理が変更されればよく、本発明は用いる画像データの種別には限定されない。更に、この実施例でも、画像再生装置としてインクジェットプリンタを用いたが、これに限らず、昇華プリンタや銀塩プリンタを用いてもよい。あるいは、ＣＲＴ，ＬＣＤやプラズマディスプレー等のソフトコピー表示装置を用いてもよい。これらの場合も用いたそれぞれのプリンタやソフトコピー表示装置に依存した処理を行うように、本実施例で示した画像再生処理部１４での処理を変更すればよく、本発明は用いる画像再生装置に限定されるものではない。また、この実施例では、画像再生を行うべき画像データについての名称には、’ＤＰ’を付加して、該ファイルが画像再生される画像であるかどうか示したことにしたが、これに限定されるものではなく、ルートディクトリに記録されるファイル名が、画像再生指示データとしての情報をもてばよく、他の名称や印を用いても、本発明は容易に実施される。本発明の画像再生システムは、上記のように任意でよいが予め決められた、ファイル名の特徴を調べ、それが予め決められた特徴に対応するかを判断して、該ファイルに含まれる画像データを再生するかどうかを決める。従って、ファイル名に画像再生指示データを示す特徴が記録されていればよく、用いた特徴、即ち、名称、印や記号等には限定されない。
【００４０】
（他の実施例：ファイル領域内に画像再生する画像データがあるファイル名を格納したファイルを設ける）
【００４１】
更に、本発明の第三の実施例について説明する。
【００４２】
図６に本実施例における情報記録媒体への画像ファイル形式を示す。
【００４３】
本実施例においても、図６ａに示す様に、情報記録媒体は予約領域、ファイルアロケーションテーブル，ルートディレクトリ及びファイル領域の４つの独立しエリアにマッピングされる。
【００４４】
前述の実施例と大きく異なる点は、ファイル領域に記録されるファイルが２種類となることである。一つは、画像再生する画像データファイルをその記録内容としてもつファイルである。本実施例では該ファイル名は’ＤＰＦｘｘｘ’とする（図６ｃ）。もう一つは画像データそのものを記録内容としてもつファイルである。本実施例では該ファイル名は’ＩＭＧｘｘｘ’とする。これにより、’ＤＰＦｘｘｘ’名のファイルには、画像再生する画像データがあるファイル名に対応するファイル名が記録される。
【００４５】
本実施例における画像再生を行う画像システムは、前述の実施例の画像再生システムと同様の構成を取る。次に、本実施例における画像再生システム１０の動作を説明する。
【００４６】
図７に本実施例の画像再生システムの動作フローを示す。本動作フローで表わされるプログラムは、画像再生システム１０のシステム制御部１５のＲＡＭやハードデスク等にセットされる。
【００４７】
本画像再生システム１０が電源投下等により立ち上げられると、本動作フローが読み出され実行される。まず、ステップ７００で、データ読み取り部１２に情報記録媒体１１がセットされたかどうか確認される。情報記録媒体１１がセットされたことが確認されると、ステップ７０１に進み、データ読み取り部１２で、情報記録媒体１１に記録されているルートディクトリの内容を参照して、ファイル名が’ＤＰＦｘｘｘ’のファイルがあるかどうかが調べられる。’ＤＰＦｘｘｘ’名のファイルがない時は本実施例の動作は終了する。
【００４８】
ステップ７０１で’ＤＰＦｘｘｘ’名のファイルがある時は、ステップ７０２でファイル領域の中の最初のの’ＤＰＦｘｘｘ’名のファイルが読み込まれる（図６のｃ）。次に、ステップ７０３で、読み込んだ’ＤＰＦｘｘｘ’名のファイルに格納されている最初のファイル名’ＩＭＧｘｘｘ’が読まれ、ステップ７０４で、ステップ７０３で読んだファイル名’ＩＭＧｘｘｘ’に対応する画像データ（図６のｂ）が読み込まれる。そして、ステップ７０５で、ステップ７０４で読み込んだ画像データについて、画像再生処理部１４で画像再生出力（プリント）の為の画像再生出力処理が実行され、画像再生出力データが生成される。生成された画像再生出力データは、ステップ７０６で、画像再生部１３にて再生出力される。
【００４９】
本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを求める処理、色処理、解像度変換処理及びハーフトーニング処理等の処理がなされる。
【００５０】
次に、本実施例の画像再生システムは、ステップ７０７で、現在対応している’ＤＰＦｘｘｘ’ファイル（図６のｃ）中に、更に’ＩＭＧｘｘｘ’ファイル名があるかどうか調べる。更に’ＩＭＧｘｘｘ’名が記録されている時は、ステップ７０８に進み、そのファイル名を読み、ステップ７０４に進む。ステップ７０７で、’ＩＭＧｘｘｘ’名が記録されていない時は、ステップ７０９に進み、情報記録媒体１１にアクセスして’ＤＰＦｘｘｘ’名のファイルが更にあるかどうかを確認する。
【００５１】
’ＤＰＦｘｘｘ’名のファイルが更にある場合は、ステップ７１０に進み、次の’ＤＰＦｘｘｘ’ファイルを読み込み、ステップ７０３に進む。’ＤＰＦｘｘｘ’名のファイルがない場合は、本実施例の画像再生システムの動作は終了する。
【００５２】
上述のようにして、本実施例の画像再生システムは、本実施例の画像ファイル方法で、データが記録された情報記録媒体から、所望の画像データを自動的に選んで、画像再生出力を行うものである。
【００５３】
従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。
【００５４】
なお、この実施例においても、画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４で施される処理が変更されればよく、本発明は用いる画像データの種別には限定されない。更に、この実施例でも、画像再生装置としてインクジェットプリンタを用いたが、これに限らず、昇華プリンタや銀塩プリンタを用いてもよい。あるいは、ＣＲＴ，ＬＣＤやプラズマディスプレー等のソフトコピー表示装置を用いてもよい。これらの場合も用いたそれぞれのプリンタやソフトコピー表示装置に依存した処理を行うように、本実施例で示した画像再生処理部１４での処理を変更すればよく、本発明は用いる画像再生装置に限定されるものではない。また、この実施例では、ファイル領域に記録されるファイルが２種類とし、一つは、画像再生する画像データファイルをその記録内容としてもつファイルで、もう一つは画像データそのものを記録内容としてもつファイルとした。そして、本実施例ではそれぞれのファイル名はそれぞれ’ＤＰＦｘｘｘ’及び’ＩＭＧｘｘｘ’としたが。本発明としては、そのファイル名に限定されるものではなく、上記２種類のファイルが識別出来ればよい。
【００５５】
本発明の画像再生システムは、上記のように任意でよいが予め決められた、ファイル名の特徴を調べ、それが予め決められた特徴に対応するかを判断して、該ファイルに含まれる内容が画像データであるか、画像再生すべきファイル名であるかを調べる。そして、画像再生すべきファイル名が格納されているファイルに選択的にアクセスして、該ファイルに格納されているファイル名を読みだして、該ファイル名に対応するファイルを読み込んで、そのファイルに格納されている画像データについて画像再生を行うものである。
【００５６】
本実施例では、画像再生するファイル名を格納した、画像再生指示データファイルを区別する手段として、ファイル名を用いたが、これに限定されるものではない。
【００５７】
例えば、本発明を実施する画像ファイル方法として、図８に示すファイル形式とすることもできる。図８ａから明らかな様に、この場合においては、画像再生指示データファイルは、特別のファイルとしてファイル領域の先頭位置に格納される。この情報はルートディレクトリに記録され、参照される。即ち、本発明をこのように実施する時には、情報記録媒体のファイル領域の先頭ファイルは画像再生指示データファイルに対応することになるから、画像再生方法としては、情報記録媒体のファイル領域の先頭ファイルに記録されている情報を読み出すことにより、画像再生すべき画像データを含む記録ファイルを容易に選択でき、本発明を実施できる。また、ファイル領域の任意の位置に、画像再生指示データファイル用の専用ファイル領域を準備し、それをルートディレクトリに記録することにより、選択的に画像再生指示データファイルにアクセスすることもできる。従って、このような場合においても、本発明は実施できる。この場合、フローチャートは省略するが、図７のステップ７０３のＤＰＦｘｘｘのファイルの代わりに図８ａ，ｃに示す画像再生指示データファイルを探し、必要に応じて、図８ｂのＩＭＧｘｘｘで表わされる画像データをアクセスすればよい。
【００５８】
以上の様に、本発明の画像再生システムおよび装置は、前述のように、予め決められた画像再生指示データの情報記録媒体上の記録位置および記録サイズを基に対応する位置の記録データを解析して、その内容が予め決められた記録内容にどのように対応するかを判断して、該記録情報媒体に記録されてる画像データを再生するかどうかを決める。従って、情報記録媒体のデータ記録フォーマットに対応して、画像再生システムおよび装置で実施される画像出力動作は夫々の実施例で異なる。前述までの実施例では、これらの動作フローは、その実施例で使用される記録フォーマットに対応した動作フローで表わされるプログラムが、画像再生システム１０のシステム制御部１５のＲＡＭやハードデスクにそれぞれセットされる構成とした。
【００５９】
（マルチフォーマット対応）
しかしながら、本発明では、前述までの実施例で示した構成に限定されるものではなく、動作フローも、情報記録媒体や通信回線を利用して、画像再生システム内にセットあるいは再セットすることが可能である。この時の動作フローを図１０に示す。この動作フローで表わされるプログラムは、画像再生システム１０のシステム制御部１５のＲＡＭやハードデスクにセットされる。本画像再生システム１０が電源投下等により立ち上げられると、本動作フローで表わされるプログラムが読み出され実行される。この場合、格納されていたプログラムに応じてフォーマットで、画像ファイルが格納されていることを意味する。つまり、例えば規格が統一されていない場合において、主要な複数種のフォーマットが存在する場合、どのフォーマットで記録された媒体が、装填されても、そのフォーマットに適切な処理を行うことが可能となる。例えば、図１、図４、図６、図８等のフォーマットの種類があるとすると、図９のＰＲＧには、フォーマットに応じて、図３、図５、図７（図８に対応したフローチャートは省略している）のいずれかが格納されている。
【００６０】
図１０に基づいて、本実施例について説明する。まず、ステップ１００１で、データ読み取り部１２に情報記録媒体１１がセットされたかどうかが確認する。情報記録媒体１１がセットされたことが確認されると、ステップ１００２に進み、セットされた情報記録媒体１１に、画像処理プログラムＰＲＧが格納されているかどうかが確認される（図９のａ）。画像処理プログラムが格納されていることが確認されると、ステップ１００３でこの画像処理プログラムが本システムのシステム制御部１５内にセットされる。
【００６１】
ステップ１００１で画像処理プログラムが格納されていないと判断されたときは、本システムは、本システムのシステム制御部１５にセットされている画像処理プログラム（デフォルトのプログラム例えば図３、図５、図７に示したフローチャートで表わされるプログラムの内の１つであってもよい）に従って動作をおこない（ステップ１００４）、一連の動作が終了すると、本動作フローにもどる。次に、ステップ１００５で、セットされた情報記録媒体１１を排出（イジェクト）して、動作を終了する。尚、本実施例を行うためには、情報記録媒体１１に、画像処理プログラムが記録されていることが必要である。図９に、情報記録媒体１１の画像記録媒体フォーマットを示す。ファイル領域に、画像処理プログラムがＰＲＧという名称で記録されている。
【００６２】
本実施例では、上記名称のファイルがあるかどうかを確認することで、情報記録媒体に画像処理プログラムが格納されているかどうかが確認される。尚、前述した様に、プログラムの種類とフォーマットが１対１だとすると、プログラムの名称により、プログラムの種類（例えば、図３、図５、図７に示されるプログラムの内にいずれかを識別する種類）及びそのフォーマットの種類（例えば図１、図４、図６、図８に示されるフォーマットのいずれか）を特定することになる。本発明では、情報記録媒体１１に画像処理プログラムが格納され、それへのアクセス手段が画像再生システムおよび装置に与えられていればよく、たとえば、決められた位置に上記ファイルがあり、その決められた位置が本発明の画像再生システムおよび装置にセットされていれば、その情報を基に、前記情報記録媒体の画像処理プログラムにアクセスすることもでき、本実施例の方法に限定されるものではない。
【００６３】
（プログラムに直接アクセス）
前述の実施例では、情報記録媒体に画像処理プログラムが格納されている場合、一度、その画像処理プログラムを画像再生システムのシステム制御部のメモリー等に格納して、画像処理を行う構成としたが、これに限定されることなく、情報記録媒体に格納されているプログラムに直接アクセスして、画像処理を行い、画像出力を行うことも可能である。この場合の動作フローを図１１にしめす。情報記録媒体に格納されている画像出力プログラムに直接アクセスすることを除いて、その動作は前述の図１０の動作とほぼ同じであり、更なる説明は繰り返さない。ステップ１１０３で媒体に格納されているプログラムに基づいて、処理を行っている。ステップ１１０２で媒体にプログラムが格納されていない場合は、ステップ１１０４に進み、装置に格納されている画像出力プログラムで処理を行う。
【００６４】
（スロット複数）
図１３に、本発明の更なる他の実施例における画像再生システム（装置）の構成を示す。基本構成は、前述の実施例で示した、図２に示す構成とおなじである。本実施例では、新たに、データ読み取り部に、情報記録媒体のスロットを設けたものであり、一つは、前述の実施例と同様、画像データと該画像データの再生の有無を指示する画像再生指示データが記録される情報記録媒体用のスロットであり、一つは、本発明の画像再生システムの画像出力動作を制御するためのプログラムが格納された媒体のためのものである。
【００６５】
図１２に、本実施例の動作フローを示す。本動作プログラムは、本画像再生システムのシステム制御部のＲＡＭやハードデスク等にセットされる。本画像再生システムが電源投下等により立ち上げられると、本動作フローが読み出され、実行される。
【００６６】
図１３において、まず、ステップ１２００において、情報記録媒体がスロットに装着されたか否かを判断し、されていると判断された場合は、ステップ１２０１で、データ読み取り部のプログラム用スロットに情報記録媒体１１がセットされているかどうかが確認される。セットされている場合は、ステップ１２０２に進み、情報記録媒体１１に画像処理プログラムがあるかどうかについて確認される。画像処理プログラムが格納されている場合は、ステップ１２０３に進み、情報記録媒体に格納されている画像処理プログラムで、画像再生システムは制御され、画像出力が実行される。ステップ１２０２でプログラム用スロットに情報記録媒体がセットされていない場合や、情報記録媒体に画像処理プログラムが格納されていない場合は、画像データ用の記録媒体が、それ用のもう一つのスロットにセットされているのみだと判断し、或は誤って、プログラム用のスロットに画像データ用の媒体がセットされていると判断してもよいが、ステップ１２０４に進み、予めシステムにセットされている画像処理プログラムで、本画像再生システムは制御され、画像出力が実行される。そして、本動作は終了する。尚、夫々のスロットにプログラム用及び画像データ用の媒体が、夫々装着されている場合は、そのプログラムに基づいて、セットされた画像データ用の媒体から、前述した様に、再生指示データに基づき選択的に画像の再生処理を行うことはいうまでもない。
【００６７】
（画像再生システムの例）
次に、本実施例に適用できる画像再生システムのプリント部分の構造について説明する。
【００６８】
本実施例を適用するレーザビームプリンタおよびインクジェットプリンタの構成について図１４〜図１５を参照しながら説明する。なお、本実施例を適用するプリンタは、レーザビームプリンタおよびインクジェットプリンタに限られるものではなく、他のプリンタでも良いことは明らかである。
【００６９】
図１４は本発明を適用可能な第１の記録装置の構成を示す断面図であり、例えばレーザビームプリンタ（ＬＢＰ）の場合を示す。
【００７０】
図において、１５００はＬＢＰ本体（プリンタ）であり、外部に接続されているホストコンピュータから供給される印刷情報（文字コード等）やフォーム情報あるいはマクロ命令等を入力して記憶するとともに、それらの情報に従って対応する文字パターンやフォームパターン等を作成し、記録媒体である記録紙上に像を形成する。１０００はＬＢＰ本体１５００全体の制御およびホストコンピュータから供給される文字情報等を解析するプリンタ制御ユニットである。このプリンタ制御ユニット１０００は、主に文字情報を対応する文字パターンのビデオ信号に変換してレーザドライバ１５０２に出力する。レーザドライバ１５０２は半導体レーザ１５０３を駆動するための回路であり、入力されたビデオ信号に応じて半導体レーザ１５０３から発射されるレーザ光１５０４をオン・オフ切り換えする。レーザ光１５０４は回転多面鏡１５０５で左右方向に振らされて静電ドラム１５０６上を走査露光する。これにより、静電ドラム１５０６上には文字パターンの静電潜像が形成されることになる。この潜像は、静電ドラム１５０６周囲に配設された現像ユニット１５０７により現像された後、記録紙に転写される。この記録紙にはカットシートを用い、カットシート記録紙はＬＢＰ本体１５００に装着した用紙カセット１５０８に収納され、給紙ローラ１５０９および搬送ローラ１５１０と搬送ローラ１５１１とにより、装置内に取り込まれて、静電ドラム１５０６に供給される。尚、同様な構成で、カラー出力可能と考えても良い。
【００７１】
図１５は本発明を適用可能な第２の記録装置の構成を示す外観図であり、例えばインクジェット記録装置（ＩＪＲＡ）の場合を示す。
【００７２】
図において、駆動モータ５０１３の正逆回転に連動して駆動力伝達ギア５０１１，５００９を介して回転するリードスクリュー５００５の螺旋溝５００４に対して係合するキャリッジＨＣはピン（図示しない）を有し、ガイドレール５００３を介して矢印ａ，ｂ方向に往復移動される。このキャリッジＨＣには、インクタンクＩＴとインクジェットヘッドＩＪＨとを備えたインクジェットカートリッジＩＪＣが搭載されている。５００２は紙押え板であり、キャリッジ移動方向にわたって紙をプラテン５０００に対して押圧する。尚、ヘッドは、カラー出力可能なものである。また駆動は、ピエゾ、エアーフロー方式、昇華型等ある方式に限定するものではない。
【００７３】
５００７，５００８はフォトカプラで、キャリッジのレバー５００６のこの域での存在を確認して、駆動モータ５０１３の回転方向切り換え等を行うためのホームポジション検知手段として機能する。５０１６は記録ヘッドの全面をキャップするキャップ部材５０２２を指示する部材、５０１５はこのキャップ内を吸引する吸引手段で、キャップ内開口５０２３を介して記録ヘッドの吸引回復を行う。５０１７はクリーニングブレードで、部材５０１９により前後方向に移動可能となる。５０１８は本体支持板で、上記クリーニングブレード５０１７，部材５０１９を支持する。５０１２は吸引回復の吸引を開始するためのレバーで、キャリッジと係合するカム５０２０の移動に伴って移動し、駆動モータ５０１３からの駆動力がクラッチ切り換え等の公知の伝達手段で移動制御される。
【００７４】
これらのキャッピング，クリーニング，吸引回復は、キャリッジがホームポジション側領域にきたときにリードスクリュー５００５の作用によってそれらの対応位置で所望の処理が行えるように構成されているが、周知のタイミングで所望動作を行うように構成されていればよい。
【００７５】
次に以上の本願発明を更に改良した実施例について説明する。
【００７６】
（更に他の実施例）
次に、添付図面を参照して更に他の実施例における本発明による画像再生方法および画像再生システム、装置の実施例について詳細に説明する。前述の発明の更なる改良である。本例では、該装置において、画像再生指示データや画像データを表示する表示手段を有し、一覧表示させたり、表示が増が再生画像であるか否かを示すマークを表示する点及び該装置の出力可能枚数に基づいて、再生が増が全て出力することができるか否かを表示する点に特徴がある。
【００７７】
まず、図１６に本実施例における画像再生方法を行う画像再生システム（装置）を示す。この画像再生装置（システム）は、情報記録媒体１１に記録された画像の中から所望の画像を自動的に選択してその選択された画像データが表す画像を再生出力（プリント）する装置（システム）である。前記情報記録媒体１１は、本実施例ではＣＦ（コンパクトフラッシュ（登録商標）メモリカード）を用いた。尚、これに限るものではなく、フロッピー（登録商標）等であってもよい。詳しくは、画像再生システム（装置）１０は、情報記録媒体１１に記録されている画像再生指示データ及び画像データの記録データを読みだして、該記録データをバス１６に送出するデータ読み取り部１２と、本画像再生システム１０の各部を制御してシステム全体の動作を制御するシステム制御部１５と、システム制御部１５の制御を受けてデータ読み取り部１２で読み取られ、バス１６に送出された画像データを受けて、この画像データを再生出力するための再生出力データに変換して出力する処理を行う画像再生処理部１４と、前記再生出力データを受けて再生出力（プリント）する画像再生部１３と、画像再生指示データに選択的にアクセスしてそのデータ内容を解析するデータ処理部１７０と、データ処理部１７０の結果を受けて画像再生する画像を一覧表示するデータ表示部１８０とから構成される。データ表示部１８０には、本実施例ではサムネール画像を表示した。尚、これに限るものではなく、画像ファイル名等であっても良い。
【００７８】
次に、図１７に本実施例における情報記録媒体の画像ファイル形式を示す。
【００７９】
本実施例において、情報記録媒体は、予約領域、ファイルアロケーションテーブル、ルートディレクトリ及びファイル領域の４つの独立したエリアにマッピングされる。
【００８０】
予約領域には、本情報記録媒体に関して、ルートディクトリ内のエントリ数、予約領域のサイズ及びファイルアロケーションテーブル（ＦＡＴ）のサイズが記録される。
【００８１】
ファイルアロケーションテーブルには、本情報記録媒体のファイル領域における情報記録媒体スペースの使われ方が記録される。
【００８２】
ルートディレクトリには、本情報記録媒体に記録されているファイル名やサイズや位置等の情報を示すディレクトリエントリ情報が記録される。
【００８３】
ファイル領域には実際の画像データや画像再生指示データが記録される。
【００８４】
本実施例では、ファイル領域に記録されるファイルとして少なくとも２種類のファイルを用いた。一つは、画像データそのものを記録内容としてもつファイルであり、本実施例ではＪＰＥＧデータの形式のファイルとした。このファイル名を以下説明の都合上‘ＸＸＸ．ＪＰＧ’とする。尚、ファイル名は上記の形式に限定されるものでなく、画像ファイルが分類できるものであれば良い。
【００８５】
ＪＰＥＧ形式で記録された画像データは、本来の画像データを圧縮した形で画像データが記録され、この圧縮した画像を復元して本来の画像データに戻すための情報も、ヘッダー情報として画像データの一部として記録される。このヘッダー情報には画像サイズ等の情報も含まれる。
【００８６】
もう一つのファイルは、画像再生する画像データファイルとその付随情報を記録内容としてもつファイルである。本実施例では該ファイル名は‘ＡＵＴＰＲＩＮＴ．ＭＲＫ’とする。
【００８７】
図１８に、‘ＡＵＴＯＰＲＩＮＴ．ＭＲＫ’の記録内容の一例を示す。
＜ＰＲＥ＞
ＣＩＦＦ＿ＶＥＲＳＩＯＮ＝１．００
は本ファイルのヘッダー情報である。
【００８８】
画像再生される画像データファイルは、次のようにタグをつけて表現される。
＜ＩＭＧＳＲＣ＝“ＸＸＸ．ＪＰＧ”＞
画像再生されるデータファイルは＜＞で囲まれて示される。
【００８９】
ＣＩＦＦ＿ＰＲＩＮＴ＿ＣＯＵＮＴ＝１は、付随情報を示すタグの一例であり、本実施例では、そのすぐ前に示される画像再生データファイルのプリント枚数を示す。
【００９０】
これにより、ＡＵＴＯＰＲＩＮＴ．ＭＲＫの記録内容を調べることにより、画像再生する画像データファイルと画像再生する枚数の総数を求めることができる。
【００９１】
例えば、図１８に示す‘ＡＵＴＯＰＲＩＮＴ．ＭＲＫ’ファイルは、画像再生する画像データファイルは、‘Ａ００．ＪＰＧ’と‘Ａ０３．ＪＰＧ’であり、画像再生する総枚数は３枚であることを示している。
【００９２】
本ファイルは、パソコンやデジタルカメラの入力手段を用いて編集される。本ファイルは、撮像時に再生の有無を判断して編集されると共に、一度蓄え、記録されたデータを読み出して、再生の必要性を確認しながら再生が必要な画像に付加される等の操作時にも編集される。
【００９３】
次に、本実施例の画像再生システム（装置）１０の動作を説明する。
【００９４】
図１９に本実施例の画像再生システムの動作フローを示す。
【００９５】
本動作フローで表わされるプログラムは、画像再生システム１０のシステム制御部１５のＲＡＭやハードデスク等にセットされる。
【００９６】
本画像再生システム１０が電源投下等により立ち上げられると、本動作フローが読み出され実行される。
【００９７】
まず，ステップ３０１で、データ読み取り部１２に情報記録媒体１１がセットされたかどうか確認される。
【００９８】
情報記録媒体１１がセットされたことが確認されると、ステップ３０２に進み、再生画像確認を行うか判断される。再生画像確認を行うかどうかは予め、ユーザインターフェイスのスイッチで与える。
【００９９】
ここで、再生画像確認を行うと判断されるとステップ３１０に進み、再生画像確認を行わないと判断されるとステップ３０３に進む。
【０１００】
まず、ステップ３１０に進んだ場合について説明し、ついでステップ３０３に進んだ場合について説明する。
【０１０１】
ステップ３１０では、データ読み取り部１２で情報記録媒体１１に記録されているファイルの中のＡＵＴＯＰＲＩＮＴ．ＭＲＫファイルが読み込まれる。読み込んだファイルは、順にデータ処理部１７０に送られ、解析され、ステップ３１１でファイルの終了が確認される。ファイル終了が確認されない時は、ファイル内容が続いて解析され、ステップ３１２でＴＡＧ“＜ＩＭＧ”の有無が確認される。ＴＡＧ“＜ＩＭＧ”が確認されないときは、ステップ３１１にもどり、ファイルの終了を確認しつつ、ファイル内容の解析が続けられる。ステップ３１２でＴＡＧ“＜ＩＭＧ”が見つかると、ステップ３１３に進み、ＴＡＧ“＜ＩＭＧ”に続いて記録されてるファイル内容ＳＲＣ＝“ＸＸＸ．ＪＰＧ”＞から、再生画像ファイル名“ＸＸＸ．ＪＰＧ”が読み込まれる。
【０１０２】
読み込んだ再生画像ファイル名をもとに、ステップ３１４で該再生画像ファイルに対応する表示用画像データを読み込み、データ表示部１８０に表示する。表示用画像データは本実施例では、サムネール画像として予め準備されているものを用いた。
【０１０３】
本実施例では、表示用画像データはＪＰＥＧデータを用い、データ表示部１８０ではＣＲＴを画像表示装置として用いた。この為、データ処理部１７０では、ＪＰＥＧデータとして保存された表示用画像データを解凍してＲＧＢデータを求める処理、色処理および解像度変換処理等の処理がなされる。
【０１０４】
データ表示がなされると、ステップ３１１に戻り、システムは、ＡＵＴＯＰＲＩＮＴ．ＭＲＫファイルを、ファイル終了を確認しつつ、その内容の解析を続ける。
【０１０５】
ファイル終了を確認するまで、ＡＵＴＯＰＲＩＮＴ．ＭＲＫファイルについて、ステップ３１１、ステップ３１２、ステップ３１３およびステップ３１４を実行しながら、内容の解析を行う。
【０１０６】
そして、再生画像ファイルは、データ表示部１８０に次々に付け加えられて表示され、その一覧が表示される。図２３に表示の一例を示す。
【０１０７】
ステップ３１１で、ファイルの終了が確認されると、ステップ３１５に進み、今までに確認された画像について、画像再現を行うかどうかが判断される。この時、画像再生を行うかどうかは、ユーザインターフェイスのスイッチで与える。
【０１０８】
画像再生を行うという判断がなされた時は、ステップ３０３に進み、画像再生を行う。
【０１０９】
画像再生を行わないと判断された時は、システムはその動作を終了する。
【０１１０】
以下、ステップ３０３に進んで、画像再生を行う動作フローについて説明する。
【０１１１】
ステップ３０３では、データ読み取り部１２で情報記録媒体１１に記録されているファイルの中のＡＵＴＯＰＲＩＮＴ．ＭＲＫファイルが読み込まれる。読み込んだファイルは、順にデータ処理部１７０に送られ、解析され、ステップ３０４でファイルの終了が確認される。ファイル終了が確認されない時は、ファイル内容が続いて解析され、ステップ３０５でＴＡＧ“＜ＩＭＧ”の有無が確認される。ＴＡＧ“＜ＩＭＧ”が確認されないときは、ステップ３０４にもどり、ファイルの終了を確認しつつ、ファイル内容の解析が続けられる。ステップ３０５でＴＡＧ“＜ＩＭＧ”が見つかると、ステップ３０６に進み、ＴＡＧ“＜ＩＭＧ”に続いて記録されてるファイル内容ＳＲＣ＝“ＸＸＸ．ＪＰＧ”＞から、再生画像ファイル名“ＸＸＸ．ＪＰＧ”が読み込まれる。
【０１１２】
読み込んだ再生画像ファイル名をもとに、ステップ３０７で該再生画像ファイルに格納されている画像データが読まれ、ステップ３０８において、画像再生処理部１４で画像再生出力（プリント）のための画像再生出力処理が実行され、画像再生出力データが生成される。
【０１１３】
生成された画像再生出力データは、ステップ３０９で、画像再生部１３にて再生出力（プリント）される。
【０１１４】
本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを求める処理、色処理、解像度変換処理及びハーフトーニング処理等の処理がなされる。
【０１１５】
画像再生出力（プリント）がなされると、ステップ３０４に戻り、システムは、ＡＵＴＯＰＲＩＮＴ．ＭＲＫファイルを、ファイル終了を確認しつつ、その内容の解析を続ける。
【０１１６】
ファイル終了を確認するまで、ＡＵＴＯＰＲＩＮＴ．ＭＲＫファイルについて、ステップ３０４、ステップ３０５、ステップ３０６、ステップ３０７、ステップ３０８およびステップ３０９を実行しながら、内容の解析を行う。
【０１１７】
ステップ３０４で、ファイルの終了が確認されると、システムはその動作を終了する。
【０１１８】
上述のようにして、本実施例の画像再生システムは、本実施例の画像ファイル方法で、データが記録された情報記録媒体から、所望の画像データを自動的に選んで、画像再生出力を行うものである。従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。
【０１１９】
また、再生画像を確認する手段を設けたので、自動的に画像再生を行う前に、ユーザの指示により、容易に再生画像を確認することができる。
【０１２０】
なお、この実施例において、画像データおよび表示用画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４およびデータ処理部１７０で施される処理が変更されればよく、本発明は用いる画像データの種別には限定されない。
【０１２１】
更に、この実施例では、画像再生装置としてインクジェットプリンタを用いたが、これに限らず、昇華プリンタや銀塩プリンタを用いてもよい。また、データ表示装置としてＣＲＴを用いたが、これに限らず、ＬＣＤやプラズマディスプレーやＬＥＤあるいは各種プリンタを用いてもよい。
【０１２２】
これらの場合も用いたそれぞれのプリンタやソフトコピー表示装置に依存した処理を行うように、本実施例で示した画像再生処理部１４およびデータ処理部１７０での処理を変更すればよく、本発明は用いる画像再生装置およびデータ表示装置に限定されるものではない。
【０１２３】
本発明の画像再生システムは、画像再生指示データのファイル上の記録位置及び記録サイズを基に対応する位置の記録データを解析して、その内容が予め決められた記録内容にどのように対応するかを判断して、該ファイルに含まれる画像データを再生するかどうかを決める。
【０１２４】
従って、ファイルに、画像データと当該画像データの再生の有無を指示する画像再生指示データが記録されていればよく、記録位置、記録サイズ、記録内容や記録順番等には限定されない。
【０１２５】
（他の実施例）
前述の実施例では、情報記録媒体に記録された画像データを自動的に再生する画像再生システムおよび装置において、画像再生を行う前に、再生画像を確認するために再生画像についての情報をデータ表示部に一覧表示する例について示した。
【０１２６】
再生画像を確認する方法としては、他に、情報記録媒体に記録されている画像データに関わる情報（画像そのものであっても良いし、画像ファイル名あるいはファイル番号等でも良い）を表示し、その際に、画像再生するかしないかを表示する方法もある。以下、この場合について、その実施例を説明する。
【０１２７】
本実施例における画像再生を行う画像システムは、前述の実施例の画像再生システムと同様の構成を取る。
【０１２８】
次に、本実施例における画像再生システム１０の動作を説明する。
【０１２９】
図２０に本実施例の画像再生システムの動作フローを示す。
【０１３０】
本実施例の動作フローの一部は、前述の図４に示す動作フローと同じである。ステップ番号が同じものの動作は同じであるので、ここでは重複して説明しない。
【０１３１】
前述の実施例と比べ、本実施例で大きく変わるのは再生画像確認を行うところの動作フローであるので、ここではこの部分の動作フローについて特に説明する。ここで説明のない動作フローについては、前述の説明を参照されたい。
【０１３２】
本動作フローは画像再生システム１０のシステム制御部１５のＲＡＭやハードデスク等にセットされる。
【０１３３】
本画像再生システム１０が電源投下等により立ち上げられると、本動作フローが読み出され実行される。
【０１３４】
まず，ステップ３０１で、データ読み取り部１２に情報記録媒体１１がセットされたかどうか確認される。
【０１３５】
情報記録媒体１１がセットされたことが確認されると、ステップ３０２に進み、再生画像確認を行うか判断される。再生画像確認を行うかどうかは予め、ユーザインターフェイスのスイッチで与える。
【０１３６】
ここで、再生画像確認を行うと判断されるとステップ５０１に進み、再生画像確認を行わないと判断されるとステップ３０３に進む。
【０１３７】
ステップ３０３に進むと、ＡＵＴＯＰＲＩＮＴ．ＭＲＫに記されている内容に従って、情報記録媒体から、画像データが再生される。この動作フローは、本実施例でも前述の実施例と同様である。
【０１３８】
以下、ステップ５０１に進んだ場合について説明する。
【０１３９】
ステップ５０１では、情報記録媒体の最初画像データが読み込まれ、ステップ５０２において、データ処理部１７０でデータ表示のための処理が施され、ステップ５０３で、データ表示部１８０に画像データが表示される。
【０１４０】
本実施例では、画像データはＪＰＥＧデータを用い、データ表示部１８０ではＣＲＴを画像表示装置として用いた。この為、データ処理部１７０では、ＪＰＥＧデータとして保存された画像データを解凍してＲＧＢデータを求める処理、色処理および解像度変換処理等の処理がなされる。
【０１４１】
次に、現在、データ表示部１８０に表示している画像データのファイル名を、ステップ５０４で読み込む。
【０１４２】
ついで、ステップ５０５で、データ読み取り部１２で情報記録媒体１１に記録されているファイルの中のＡＵＴＯＰＲＩＮＴ．ＭＲＫファイルが読み込み、読み込んだファイルを順にデータ処理部１７０に送りその内容を解析する。ステップ５０６ではファイルの終了が確認される。ファイルの終了が確認されると、ステップ５１１に進む。ステップ５１１以下の動作は後に示す。
【０１４３】
ファイル終了が確認されない時は、ファイル内容が続いて解析され、ステップ５０７でＴＡＧ“＜ＩＭＧ”の有無が確認される。ＴＡＧ“＜ＩＭＧ”が確認されないときは、ステップ５０６にもどり、ファイルの終了を確認しつつ、ファイル内容の解析が続けられる。ステップ５０７でＴＡＧ“＜ＩＭＧ”が見つかると、ステップ５０８に進み、ＴＡＧ“＜ＩＭＧ”に続いて記録されてるファイル内容ＳＲＣ＝“ＸＸＸ．ＪＰＧ”＞から、再生画像ファイル名“ＸＸＸ．ＪＰＧ”を読み込む。
【０１４４】
ステップ５０９で、読み込んだ再生画像ファイル名と現在表示している画像データのファイル名が一致するかどうか判断される。一致しないと判断されたときは、ステップ５０６にもどり、ファイルの終了を確認しつつファイル内容の解析が続けられる。ステップ５０９でファイル名が一致すると判断された時は、ステップ５１０に進み、データ表示部１８０に画像データとともに、現在表示されている画像が再生出力（プリント）される画像データであることを示す再生マークが示される。図２４に本実施例の表示部１８０における表示の一例をしめす。図２４において、右下に示される“Ｐ”のマークが本画像が再生画像であることを示す。一覧に表示される例等も本図で示している。
【０１４５】
ついで、ステップ５１１に進み、表示画像変更ボタンが押されたかどうか判断する。表示画像変更ボタンが押されたと判断された時は、ステップ５１２で、次の画像データを情報記録媒体から読み込み、ステップ５０２に戻り、画像表示処理を行い、フローに従って前述の処理動作を再度行う。
【０１４６】
表示画像変更ボタンが押されないと判断した時は、ステップ５１３に進み、再生画像確認終了ボタンが押されたどうか判断する。再生画像確認終了ボタンが押されたと判断した時は、再生画像確認動作を終了し、ステップ３１５に進む。
【０１４７】
再生画像終了ボタンが押されないと判断した時は、ステップ５１１にもどり、表示画像変更ボタンが押されたかどうかを判断し、前述の動作を繰り返す。
【０１４８】
ステップ３１５では、画像再生を行うかどうかを判断する。
【０１４９】
この時、画像再生を行うかどうかは、ユーザインターフェイスのスイッチで与える。
【０１５０】
画像再生を行うという判断がなされた時は、ステップ３０３に進み、画像再生を行う。
【０１５１】
画像再生を行わないと判断された時は、システムはその動作を終了する。
【０１５２】
以下、ステップ３０３に進んで、画像再生を行う動作フローについて説明する。
【０１５３】
ステップ３０３では、データ読み取り部１２で情報記録媒体１１に記録されているファイルの中のＡＵＴＯＰＲＩＮＴ．ＭＲＫファイルが読み込まれる。読み込んだファイルは、順にデータ処理部１７０に送られ、解析され、ステップ３０４でファイルの終了が確認される。ファイル終了が確認されない時は、ファイル内容が続いて解析され、ステップ３０５でＴＡＧ“＜ＩＭＧ”の有無が確認される。ＴＡＧ“＜ＩＭＧ”が確認されないときは、ステップ３０４にもどり、ファイルの終了を確認しつつ、ファイル内容の解析が続けられる。ステップ３０５でＴＡＧ“＜ＩＭＧ”が見つかると、ステップ３０６に進み、ＴＡＧ“＜ＩＭＧ”に続いて記録されてるファイル内容ＳＲＣ＝“ＸＸＸ．ＪＰＧ”＞から、再生画像ファイル名“ＸＸＸ．ＪＰＧ”が読み込まれる。
【０１５４】
読み込んだ再生画像ファイル名をもとに、ステップ３０７で該再生画像ファイルに格納されている画像データが読まれ、ステップ３０８において、画像再生処理部１４で画像再生出力（プリント）ための画像再生出力処理が実行され、画像再生出力データが生成される。
【０１５５】
生成された画像再生出力データは、ステップ３０９で、画像再生部１３にて再生出力（プリント）される。
【０１５６】
本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを求める処理、色処理、解像度変換処理及びハーフトーニング処理等の処理がなされる。
【０１５７】
画像再生出力（プリント）がなされると、ステップ３０４に戻り、システムは、ＡＵＴＯＰＲＩＮＴ．ＭＲＫファイルを、ファイル終了を確認しつつ、その内容の解析を続ける。
【０１５８】
ファイル終了を確認するまで、ＡＵＴＯＰＲＩＮＴ．ＭＲＫファイルについて、ステップ３０４、ステップ３０５、ステップ３０６、ステップ３０７、ステップ３０８およびステップ３０９を実行しながら、内容の解析を行う。
【０１５９】
ステップ３０４で、ファイルの終了が確認されると、システムはその動作を終了する。
【０１６０】
上述のようにして、本実施例の画像再生システムは、本実施例の画像ファイル方法でデータが記録された情報記録媒体から所望の画像データを自動的に選んで、画像再生出力を行うものである。従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。
【０１６１】
また、再生画像を確認する手段を設けたので、自動的に画像再生を行う前に、ユーザの指示により、容易に再生画像を確認することができる。
【０１６２】
なお、この実施例において、画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４およびデータ処理部１７０で施される処理が変更されればよく、本発明は用いる画像データの種別には限定されない。
【０１６３】
更に、この実施例では、画像再生装置としてインクジェットプリンタを用いたが、これに限らず、昇華プリンタや銀塩プリンタを用いてもよい。また、データ表示装置としてＣＲＴを用いたが、これに限らず、ＬＣＤやプラズマディスプレーやＬＥＤあるいは各種プリンタを用いてもよい。
【０１６４】
これらの場合も用いたそれぞれのプリンタやソフトコピー表示装置に依存した処理を行うように、本実施例で示した画像再生処理部１４およびデータ処理部１７０での処理を変更すればよく、本発明は用いる画像再生装置およびデータ表示装置に限定されるものではない。
【０１６５】
本発明の画像再生システムは、画像再生指示データのファイル上の記録位置及び記録サイズを基に対応する位置の記録データを解析して、その内容が予め決められた記録内容にどのように対応するかを判断して、該ファイルに含まれる画像データを再生するかどうかを決める。
【０１６６】
従って、ファイルに、画像データと当該画像データの再生の有無を指示する画像再生指示データが記録されていればよく、記録位置、記録サイズ、記録内容や記録順番等には限定されない。
【０１６７】
（他の実施例）
再生画像を確認する方法として、再生画像を一覧表示する方法と、情報記録媒体に記録されている画像データを個々に表示し、その画像が再生画像であるときは、それを示すマークを画像データとともに表示する方法をあげ、それらについて詳しく説明してきた。
【０１６８】
再生画像を確認する更なる方法として、例えば、情報記録媒体に記録されている画像データを一覧表示し、一覧表示中の個々の画像について、それが再生画像である時はその旨を表示する方法がある。
【０１６９】
図１０に上記の実施例についての表示例を示す。表示部には、情報記録媒体に記録されている画像データが一覧表示される。本実施例では、表示画像としてサムネール画像を用いた。また、再生画像である画像には、サムネール画像の右下に“Ｐ”のマークを同時に表示した。再生画像であることは、前述の方法だけに限定されるもではなく、例えば、色味を他の画像とかえる方法とか、該当する画像には枠をつけるとかあるいははずすとかのような方法もある。
【０１７０】
本実施例を画像出力システム及び装置で実際に動作させる手順は、前述の２通りの方法を実施する手順を修正することにより得られるので、ここでは特に説明はしない。
【０１７１】
（他の実施例）
更に、本発明の他の実施例について説明する。
【０１７２】
本発明の趣旨は、情報記録媒体に記録された画像データを自動的に画像再生する装置において、再生する画像を容易に確認することにある。このため、画像再生する画像データを特定するための画像再生指示データファイルがあり、このファイルの内容を画像再生を行う前に把握する手段を設けたものである。
【０１７３】
この機能を利用することにより、印刷可能枚数が、印刷する枚数より少ない時に、自動プリントでおこる動作エラー等について、警告を行うことが可能となる。
【０１７４】
以下、この場合についての実施例について説明する。
【０１７５】
図２１に本実施例における画像再生方法を行う画像再生システム（装置）を示す。
【０１７６】
この画像再生装置（システム）は、情報記録媒体１１に記録された画像の中から所望の画像を自動的に選択して、その選択された画像データが表す画像再生出力（プリント）する装置（システム）であり、この時、この画像装置で出力可能なプリント枚数と、自動的に出力する画像の枚数を調べ、出力する枚数が出力可能なプリント枚数を超えている場合に、表示手段にて警告を表示し、出力を留保させ、出力エラーとなることを回避させることのできる装置である。
【０１７７】
このため、本実施例の装置６０には、前述の実施例の装置とくらべ、システム状態検知部２０を付加した。本実施例のシステム（装置）では、画像再生部１３で画像再生装置としてインクジェットプリンタを用いた。インクジェットプリンタのプリント枚数は、供給される各色インクの総量とプリント用紙の枚数により与えられる。このため、本実施例では、システム検知部２０には、インクジェットプリンタのインクタンク容量を光学的にモニターするためのしくみと、用紙の枚数をその厚みからモニターするためのしくみを設けた。これにより、現在のインクジェットプリンタの出力可能枚数を常時検知することができる。レーザビームプリンタ或はその他のプリンタにおいても同様に適用可能である。
【０１７８】
他の構成部位は、前述の実施例と同様である。
【０１７９】
次に、本実施例における画像再生システム６０の動作を説明する。
【０１８０】
図２２に本実施例の画像再生システムの動作フローを示す。
【０１８１】
本動作フローは画像再生システム６０のシステム制御部１５のＲＡＭやハードデスク等にセットされる。
【０１８２】
本画像再生システム６０が電源投下等により立ち上げられると、本動作フローが読み出され実行される。
【０１８３】
まず，ステップ７００で、データ読み取り部１２に情報記録媒体１１がセットされたかどうか確認される。
【０１８４】
情報記録媒体１１がセットされたことが確認されると、ステップ７０１で初期設定がなされ、総プリント枚数をセットするカウンターＴＰＣＮに値０がセットされ、画像ごとのプリント枚数をセットするカウンターＰＣＮに値０がセットされる。
【０１８５】
ステップ７０２に進み、データ読み取り部１２で情報記録媒体１１に記録されているファイルの中のＡＵＴＯＰＲＩＮＴ．ＭＲＫファイルが読み込まれる。読み込んだファイルは、順にデータ処理部１７０に送られ、解析され、ステップ７０３でファイルの終了が確認される。
【０１８６】
ファイルの終了が確認されると、ステップ７０９で、カウンターＴＰＣＮにカウンタＰＣＮの値が加算される。この時得られた、カウンターＴＰＣＮの値が画像再生（プリント）される総数である。
【０１８７】
ファイル終了が確認されない時は、ファイル内容が続いて解析され、ステップ７０４でＴＡＧ“＜ＩＭＧ”の有無が確認される。
【０１８８】
ＴＡＧ“＜ＩＭＧ”が確認されると、ステップ７０７に進み、カウンターＴＰＣＮに現在カウンタＰＣＮが保持している値が加算される。そしてステップ７０８に進み、そこでカウンターＰＣＮの値が１にセットされ、動作フローはステップ７０３にもどり、ファイル内容の解析が進められる。
【０１８９】
ＴＡＧ“＜ＩＭＧ”が確認されないときは、ステップ７０５に進み、ファイル内容にＴＡＧ“ＣＩＦＦ＿ＰＲＩＮＴ＿ＣＯＵＮＴ＝”があるかどうか確認される。
【０１９０】
ＴＡＧ“ＣＩＦＦ＿ＰＲＩＮＴ＿ＣＯＵＮＴ＝”が確認されない時は、ステップ７０３に戻り、ファイル内容の解析が続けられる。
【０１９１】
ＴＡＧ“ＣＩＦＦ＿ＰＲＩＮＴ＿ＣＯＵＮＴ＝”が確認された時は、ステップ７０５で、ＴＡＧ“ＣＩＦＦ＿ＰＲＩＮＴ＿ＣＯＵＮＴ＝”にＣＩＦＦ＿ＰＲＩＮＴ＿ＣＯＵＮＴ＝”Ｘ“の形でセットされている値”Ｘ“をカウンターＰＣＮにセットする。そして、ステップ７０３に戻り、ファイル内容の解析を続ける。
【０１９２】
ステップ７１０は、ステップ７０９に続いて実行され、ここでは、システム状態検知部２０から、装置（システム）の出力可能枚数を読み出す。
【０１９３】
続いて、ステップ７１１で、ステップ７０９で求めたカウンターＴＰＣＮの値とステップ７１０で読み込んだ出力可能枚数について比較する。
【０１９４】
カウンターＴＰＣＮの値が出力可能枚数より大きいときは、ステップ７２４に進み、データ表示部１８０に警告表示を行い、本システムの動作を終了する。
【０１９５】
カウンターＴＰＣＮの値が出力可能枚数以下のときは、ステップ７１２に進み、画像再生出力（プリント）を行う。
【０１９６】
以下、ステップ７１２に進んで、画像再生を行う動作フローについて説明する。
【０１９７】
ステップ７１２で初期設定がなされ、画像ごとのプリント枚数をセットするカウンターＰＣＮに値０がセットされる。
【０１９８】
ついで、ステップ７１３で、データ読み取り部１２で情報記録媒体１１に記録されているファイルの中のＡＵＴＯＰＲＩＮＴ．ＭＲＫファイルを読み込む。読み込んだファイルは、順にデータ処理部１７０に送られて解析され、ステップ３０４でファイルの終了が確認される。
【０１９９】
ファイルの終了を確認すると、ステップ７２２に進み、カウンターＰＣＮの値が０かどうか調べ、カウンターＰＣＮの値が０であるときは、本システムはその動作を終了し、カウンターＰＣＮの値が０でなければ、ステップ７２３に進んでファイル名一時記憶フォルダーＰＦＮに記録されているファイル名に対応する画像データをＰＣＮ枚ほど出力し、本システムの動作を終了する。
【０２００】
ファイル終了が確認されない時は、ファイル内容を続いて解析し、ステップ７１５でＴＡＧ“＜ＩＭＧ”の有無が確認される。
【０２０１】
ＴＡＧ“＜ＩＭＧ”が確認されないときは、ステップ７１６に進み、ＴＡＧ“ＣＩＦＦ＿ＰＲＩＮＴ＿ＣＯＵＮＴ＝”の有無を確認し、ＴＡＧ“ＣＩＦＦ＿ＰＲＩＮＴ＿ＣＯＵＮＴ＝”が確認された時は、ＣＩＦＦ＿ＰＲＩＮＴ＿ＣＯＵＮＴ＝Ｘの形で与えられる値“Ｘ”をカウンターＰＣＮにセットし、ステップ７１４に戻り、ファイルの終了を確認しつつ、ファイル内容の解析を続ける。ステップ７１５でＴＡＧ“＜ＩＭＧ”が見つかると、ステップ７１８に進み、カウンタＰＣＮの値が０かどうかを調べ、０であるときはステップ７２０に進み、０でないときは、ステップ７１９で、ファイル名一時記憶フォルダーＰＦＮに記録されているファイル名に対応する画像データをＰＣＮ枚ほど出力してステップ７２０に進む。ステップ７２０では、ＴＡＧ“＜ＩＭＧ”にひきつづいて記録されているファイル名を読み込み、ファイル名一時記憶フォルダーＰＦＮにセットする。
【０２０２】
そして、ステップ７２１で、カウンターＰＣＮに値１をセットして、ステップ７１４に戻り、ファイルの終了を確認しつつ、ファイル内容の解析を続ける。
【０２０３】
本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを求める処理、色処理、解像度変換処理及びハーフトーニング処理等の処理がなされる。
【０２０４】
上述のようにして、本実施例の画像再生システムは、本実施例の画像ファイル方法で、データが記録された情報記録媒体から、所望の画像データを自動的に選んで、画像再生出力を行うものである。従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。
【０２０５】
また、再生画像の総出力枚数とシステム（装置）で現在出力できる出力可能枚数を確認する手段と、出力可能枚数が総出力枚数より大きいかどうかを判断する手段およびそれに応じて警告を表示する手段を設けたので、自動的に画像再生を行う前に、出力が可能かどうかについて、ユーザは容易に確認することができ、出力エラーを防止することができる。
【０２０６】
なお、この実施例においても、画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４で施される処理が変更されればよく、本発明は用いる画像データの種別には限定されない。
【０２０７】
更に、この実施例でも、画像再生装置としてインクジェットプリンタを用いたが、これに限らず、昇華プリンタや銀塩プリンタを用いてもよい。あるいは、ＣＲＴ，ＬＣＤやプラズマディスプレー等のソフトコピー表示装置を用いてもよい。これらの場合も用いたそれぞれのプリンタやソフトコピー表示装置に依存した処理を行うように、本実施例で示した画像再生処理部１４およびシステム状態検知部２０での処理およびモニター手段を変更すればよく、本発明は用いる画像再生装置に限定されるものではない。例えば、昇華プリンタの場合は、昇華染料はシートの形状で与えられ、一枚プリントするための必要面積と予め装置にセットされるシートの総面積は既知であるから、現在までのプリント枚数を記憶保持しておくことにより、これから、プリント可能枚数をしることができる。
【０２０８】
以上述べてきたように、本発明の趣旨は、情報記録媒体に記録された画像データを自動的に画像再生する装置において、再生する画像を容易に確認することにある。この為、画像再生する画像データを特定するための画像再生指示データファイルがあり、このファイルの内容を画像再生を行う前に把握する手段を設けたものである。これにより、容易に再生画像を確認して、データ表示手段に再生画像の一覧を表示したり、データ表示手段に表示した画像に再生画像であることを示す印を付加したり、また、再生出力可能枚数と総出力枚数を比較して、出力可能枚数が足りないときには、警告表示をして、出力エラーを防止することにある。
【０２０９】
従って、本発明は、前述の実施例に示した手順や装置構成等に限定されることなく、本発明の上記主旨内において、様々な手順、アルゴリズムや装置構成において実施することができる。
【０２１０】
次に、本願発明の更なる改良について、説明する。
【０２１１】
（更に他の実施例）
次に、添付図面を参照して更に他の実施例について、本発明による情報記録媒体データ編集方法について詳細に説明する。
【０２１２】
本例では、再生指示データに対応した画像データが情報記録媒体になかった場合の出力エラーを防止する点に特徴があり、画像再生データにアクセスする手段を持ち、消去する画像データに再生指示データが付されている場合は、その再生指示データも消去する様にし、画像がデータが無い場合は、その再生出力動作をスキップするところに特徴がある。
【０２１３】
まず、図２５に本実施例における情報記録媒体データ編集方法を行うシステムを示す。
【０２１４】
この情報記録媒体編集データシステムは、情報記録媒体１１に記録された画像データ及び画像再生指示データにアクセスして、情報記録媒体に記録さている画像データを削除したり、画像データについてそれを再生するかどうかの指示を与え、情報記録媒体のデータを編集するものである。
【０２１５】
前記情報記録媒体１１は、本実施例ではＣＦ（コンパクトフラッシュ（登録商標）メモリカード）を用いた。尚、これに限るものではなく、フロッピー（登録商標）等であってもよい。
【０２１６】
詳しくは、情報記録媒体データ編集システム１０は、情報記録媒体１１に記録されている画像再生指示データ及び画像データの記録データにアクセスして、該記録データをバス１６に送出したり、システムでなされた結果を情報記録媒体に記録したりする情報記録媒体アクセス部１２０と、本情報記録媒体データ編集システム１０の各部を制御してシステム全体の動作を制御するシステム制御部１５と、システム制御部１５の制御及びユーザインターフェイス部１９０で与えられるユーザの指示を受けて、情報記録媒体アクセス部１２０で情報記録媒体に記録されているデータを読みとり、バス１６を介してえられた画像データや画像再生指示データを表示する情報記録媒体データ表示部を有し、ユーザから与えられる画像交換指示情報、画像データ消去指示情報及び画像再生指示情報を得るユーザインターフェイス部１９０とから構成される。
【０２１７】
本実施例における情報記録媒体の画像ファイル形式は図１７を流用する。
【０２１８】
‘ＡＵＴＯＰＲＩＮＴ．ＭＲＫ’の記録内容の一例は、図１８を流用する。
【０２１９】
本実施例の場合、本ファイルは、デジタルカメラ等の画像入力手段、パソコン等あるいは本発明のような情報記録媒体データ編集システムにより生成される。
【０２２０】
図２６に本実施例のユーザインターフェイス部１９０の表示画面を示す。図中、４１は情報記録媒体データ表示部を兼ね、ここに情報記録媒体１１に記録されている画像データや画像再生指示データが表示される。画像右下に表示されているマーク“Ｐ”がこの画像は画像再生されるデータであることを示している。ボタン４２は画像を交換するボタンであり、このボタンを押すことにより、情報記録媒体に記録されている順番に従って、現在表示されている画像の一つ前に記録されている画像データが、領域４１に表示される。ボタン４３も画像を交換するボタンであり、このボタンを押すことにより、情報記録媒体に記録されている順番に従って、現在表示されている画像の一つ後に記録されている画像データが、領域４１に表示される。ボタン４４は情報記録媒体に記録されている画像を消去するためのボタンであり、このボタンを押すことにより、現在表示されている画像に対応する画像データが情報記録媒体から消去される。ボタン４５は、画像データについて、該画像が画像再生（プリント）される画像であることを指示する為のボタンである。このボタンを押すと、現在表示されている画像データについて、その情報記録媒体に記録されているファイル名が読み出され、（本実施例では、現在表示されている画像データのファイル名はシステム制御部１５に一時保持データとして保持されている。）、情報記録媒体のＡＵＴＯＰＲＩＮＴ。ＭＲＫファイルに書き込まれる。
【０２２１】
すでに画像再生指示が与えられている画像データについて、再度、このボタンが押された時はその動作は無視される。ボタン４６は、画像データについて、該画像の画像再生（プリント）をキャンセルすることを指示する為のボタンである。このボタンを押すと、現在表示されている画像データについて、その情報記録媒体に記録されているファイル名が読み出され、（本実施例では、現在表示されている画像データのファイル名はシステム制御部１５に一時保持データとして保持されている。）、これと一致して、情報記録媒体のＡＵＴＯＰＲＩＮＴ。ＭＲＫファイルに書き込まれているファイル名を消去する。本ボタンは、すでに画像再生指示が与えられている画像データについてのみ有効であり、それ以外の画像についてはこのボタンの動作は無視される。
【０２２２】
次に、本発明の特徴的な動作について、本実施例の情報記録媒体データ編集システム１０の動作を説明する。本実施例では、ユーザインターフェイス部から画像データ消去の指示が与えられると、該画像データが画像再生指示されていないかどうか検索され、画像再生指示されている時は画像再生指示が解除される。すなわち、該ファイル名がＡＵＴＯＰＲＩＮＴ。ＭＲＫに記載されているかどうか検索され、記載されている時は該ファイル名がＡＵＴＯＰＲＩＮＴ。ＭＲＫファイルから消去される。
【０２２３】
図２７に本実施例の情報記録媒体データ編集システムの上記動作についてのフロー図を示す。
【０２２４】
本動作フローで表わされるプログラムは、情報記録媒体データ編集システム１０のシステム制御部１５のＲＡＭやハードデスク等にセットされる。
【０２２５】
本情報記録媒体データ編集システム１０が立ち上げられ、本動作の実行が選択されると、本動作フローが読み出され実行される。
【０２２６】
まず，ステップ５０１で、消去ボタンが押されたかどうか確認される。本動作は、消去ボタンが押されることにより実質的に開始する。
【０２２７】
消去ボタンが押されたことが確認されると、ステップ５０２に進んで、現在表示されている画像データのファイル名が読み込まれる。そして、ＡＵＴＯＰＲＩＮＴ．ＭＲＫファイルの内容が解析される。ステップ５０３で、読み込んだ表示画像ファイル名がＡＵＴＯＰＲＩＮＴ．ＭＲＫファイルにあるかどうか調べられる。ＡＵＴＯＰＲＩＮＴ。ＭＲＫファイル中に表示画像ファイル名がある時は、該ファイル名はＡＵＴＯＰＲＩＮＴ。ＭＲＫファイルから削除される。そして、表示画像ファイルが情報記録媒体から消去される。該ファイル名がＡＵＴＯＰＲＩＮＴ。ＭＲＫファイルにないときは、本画像は再生画像ではないから、画像データを消去しても再生画像出力時に問題は生じないので、情報記録媒体から表示画像ファイルが消去される。
【０２２８】
本実施例では、情報記録媒体に記録されている画像データを個々に表示して、該画像データについて消去するかどうかを判断する構成としたが、本発明はこれに限定されるものではない。
【０２２９】
本発明の主旨は、情報記録媒体中に、画像データと画像データについて再生出力するかどうかを指示するデータが記録されていて、情報記録媒体のデータを編集する時にあたって、画像データを消去する時に、該画像データが再生指示されているかどうかを調べ、該画像データが再生指示されている場合は、この再生指示データも解除することにある。従って、上記の主旨を逸脱しない範囲において、さまざまな手段が考えられる。例えば、画像データを一覧表示し、マウス等で画像を選択して、消去動作を行う場合や、ファイルエディタ等で情報記録媒体のファイルを直接編集する場合でも、本発明は実行できる。
【０２３０】
以上、説明したように、本発明によれば、
画像データの消去指示に基づいて、該画像データに関する画像再生指示データを消去する手段を持つので、画像データ消去に伴って、該画像データの画像再生指示データも消去されるので、画像再生動作にあたって、画像再生すべき画像データがないというようなことはなくなり、画像再生動作がエラー終了することは防止される。
【０２３１】
（他の実施例）
本発明の他の実施例を以下に述べる。本発明の目的とすることは、情報記録媒体中に記録されている画像データと再生指示データにおいて矛盾が生じると、画像再生にあたり、その動作がエラーとなることを防止することにある。この為、前述の実施例では、情報記録媒体に記録されていた画像データが消去される時は、画像再生指示データについて調べ、消去される画像データについて再生指示が与えられている時はこれを解除する手段を設けた。
【０２３２】
以下で、説明する実施例においては、再生指示データが与えられているが、その画像データそのものが、情報記録媒体にない場合は、該再生指示データを無視して、画像再生動作の実行を進めていく手段を設けたものである。これにより、画像再生指示が立っているが実際の画像はないというような、情報記録媒体中に記録されている画像データと再生指示データにおいて矛盾が生じていても、画像再生にあたり、その動作がエラーとならず実行される。
【０２３３】
図２８に本実施例における画像再生方法を行う画像再生システム（装置）を示す。
【０２３４】
この画像再生装置（システム）は、情報記録媒体１１に記録された画像の中から所望の画像を自動的に選択してその選択された画像データが表す画像を再生出力（プリント）する装置（システム）である。前記情報記録媒体１１は、本実施例ではＣＦ（コンパクトフラッシュ（登録商標）メモリカード）を用いた。尚、これに限るものではなく、フロッピー（登録商標）、ＤＶＤ等であってもよい。
【０２３５】
詳しくは、画像再生システム（装置）１０は、情報記録媒体１１に記録されている画像再生指示データ及び画像データの記録データを読みだして、該記録データをバス１６に送出するデータ読み取り部１２と、本画像再生システム１０の各部を制御してシステム全体の動作を制御するシステム制御部１５と、システム制御部１５の制御を受けてデータ読み取り部１２で読み取られ、バス１６に送出された画像データを受けて、この画像データを再生出力するための再生出力データに変換して出力する処理を行う画像再生処理部１４と、前記再生出力データを受けて再生出力（プリント）する画像再生部１３と、画像再生指示データに選択的にアクセスしてそのデータ内容を解析するデータ処理部１７０と、データ処理部１７０及びシステム制御部１５の結果を受けてシステム動作状態を表示するシステム表示部１８０とから構成される。
【０２３６】
本実施例における情報記録媒体の画像ファイル形式は、前述の実施例で説明したファイル形式と同様であるので、ここで再度説明はしない。前に説明したように、ＡＵＴＯＰＲＩＮＴ．ＭＲＫの記録内容を調べることにより、画像再生する画像データファイルを求めることができる。また、ルートディレクトリを調べることにより、情報記録媒体に記録されているファイル名を得ることができる。
【０２３７】
情報記録媒体の内容は、パソコンやデジタルカメラの入力手段を用いて編集される。また、ＰＣ等によっても編集される。
【０２３８】
次に、本実施例の画像再生システム（装置）１０の本発明に関わる特徴的な動作を説明する。
【０２３９】
図２９に本実施例の画像再生システムの動作フローを示す。
【０２４０】
本動作フローで表わされるプログラムは、画像再生システム６０のシステム制御部１５のＲＡＭやハードデスク等にセットされる。
【０２４１】
本画像再生システム１０が電源投下等により立ち上げられると、本動作フローが読み出され実行される。
【０２４２】
まず，ステップ７０１で、データ読み取り部１２に情報記録媒体１１がセットされたかどうか確認される。
【０２４３】
情報記録媒体１１がセットされたことが確認されると、ステップ７０２に進んで、データ読み取り部６１で情報記録媒体１１に記録されているファイルの中のＡＵＴＯＰＲＩＮＴ．ＭＲＫファイルが読み込まれる。読み込んだファイルは、順にデータ処理部６５に送られ、解析され、ステップ７０３でファイルの終了が確認される。ファイル終了が確認されない時は、ファイル内容が続いて解析され、ステップ７０４でＴＡＧ“＜ＩＭＧ”の有無が確認される。ＴＡＧ“＜ＩＭＧ”が確認されないときは、ステップ７０３にもどり、ファイルの終了を確認しつつ、ファイル内容の解析が続けられる。ステップ７０４でＴＡＧ“＜ＩＭＧ”が見つかると、ステップ７０５に進み、ＴＡＧ“＜ＩＭＧ”に続いて記録されてるファイル内容ＳＲＣ＝“ＸＸＸ．ＪＰＧ”＞から、再生画像ファイル名“ＸＸＸ．ＪＰＧ”が読み込まれる。
【０２４４】
読み込んだ再生画像ファイル名をもとに、ステップ７０６で該再生画像ファイル名対応するファイルが情報記録媒体にあるかどうか調べられる。
【０２４５】
該ファイルが情報記録媒体にある場合は、情報記録媒体から格納されている画像データが、ステップ７０７で読まれ、ステップ７０８において、画像再生処理部１４で画像再生出力（プリント）のための画像再生出力処理が実行され、画像再生出力データが生成され、画像再生部１３にて再生出力（プリント）される。
【０２４６】
該ファイルが情報記録媒体にない場合には、ステップ７０９に進んで、該再生画像ファイル名が一時記録領域に記憶される。この時、再生出力動作はスキップされ、システムの動作はステップ７０３に戻る。
【０２４７】
本実施例では、画像データはＪＰＥＧデータを用い、画像再生部１３ではインクジェットプリンタを画像再生装置として用いた。この為、画像再生処理部１４では、ＪＰＥＧデータとして保存された画像データを解凍してＲＧＢデータを求める処理、色処理、解像度変換処理及びハーフトーニング処理等の処理がなされる。
【０２４８】
画像再生出力（プリント）がなされると、ステップ７０３に戻り、システムは、ＡＵＴＯＰＲＩＮＴ．ＭＲＫファイルを、ファイル終了を確認しつつ、その内容の解析を続ける。
【０２４９】
ファイル終了を確認するまで、ＡＵＴＯＰＲＩＮＴ．ＭＲＫファイルについて、ステップ７０４、ステップ７０５、ステップ７０６、ステップ７０７、ステップ７０８およびステップ７０９を実行しながら、内容の解析を行う。
【０２５０】
ステップ７０４で、ファイルの終了が確認されると、システムは、ステップ７１０で一時記憶領域に記録されているファイル名を、不明ファイルとしてシステム表示部に表示して、その動作を終了する。
【０２５１】
上述のようにして、本実施例の画像再生システムは、本実施例の画像ファイル方法で、データが記録された情報記録媒体から、所望の画像データを自動的に選んで、画像再生出力を行うものである。従って、本実施例に示されるように、本発明の画像ファイル方法及び画像再生方法を実施することにより、人手を介さずに、また、メモなどで所望の画像を指定する事なく、自動的に、情報記録媒体に記録された画像データについて所望の画像データを再生出力することができる。
【０２５２】
また、再生指示データが与えられているが、その画像データそのものが、情報記録媒体にないような場合においても、該再生指示データを無視して、画像再生動作の実行を進めていく事ができるので、画像再生指示が立っているが実際の画像はないというような、情報記録媒体中に記録されている画像データと再生指示データにおいて矛盾が生じていても、画像再生にあたり、その動作がエラーとならず実行される。
【０２５３】
なお、この実施例において、画像データおよび表示用画像データはＪＰＥＧデータとしたが、これに限らず、ＴＩＦＦやＰＩＣＴ等を用いても良い。また、ＲＡＷデータでもよいが、この場合には画像再生の情報も画像データに付随させて情報記録媒体に記録することが必要である。上記の場合には、それぞれの画像データに依存して、本実施例で示した画像再生処理部１４およびデータ処理部１７で施される処理が変更されればよく、本発明は用いる画像データの種別には限定されない。
【０２５４】
更に、この実施例では、画像再生装置としてインクジェットプリンタを用いたが、これに限らず、昇華プリンタや銀塩プリンタを用いてもよい。また、データ表示装置としてＣＲＴを用いたが、これに限らず、ＬＣＤやプラズマディスプレーやＬＥＤあるいは各種プリンタを用いてもよい。
【０２５５】
これらの場合も用いたそれぞれのプリンタやソフトコピー表示装置に依存した処理を行うように、本実施例で示した画像再生処理部１４およびデータ処理部１７０での処理を変更すればよく、本発明は用いる画像再生装置およびデータ表示装置に限定されるものではない。
【０２５６】
本発明の画像再生システムは、画像再生指示データのファイル上の記録位置及び記録サイズを基に対応する位置の記録データを解析して、その内容が予め決められた記録内容にどのように対応するかを判断して、該ファイルに含まれる画像データを再生するかどうかを決める。
【０２５７】
従って、ファイルに、画像データと当該画像データの再生の有無を指示する画像再生指示データが記録されていればよく、記録位置、記録サイズ、記録内容や記録順番等には限定されない。
【０２５８】
また、本発明の主旨は、再生指示データが与えられているが、その画像データそのものが、情報記録媒体にないような場合においても、該再生指示データを無視して、画像再生動作の実行を進めていく事ができるような構成をとることにある。このような構成は、上記のような実施例に限定されるものではなく、その主旨を逸脱しない範囲においてさまざまな構成をとりうる。例えば、上記実施例では、最後に不明ファイルを表示する構成としたが、本発明の主旨からは、上記ステップは省略することも可能である。
【０２５９】
これまでに、説明してきたように、画像処理プログラムを、情報記録媒体から本画像再生システムに供給したり、直接情報記録媒体にアクセスして実行することを可能としたことにより、本発明による画像再生システムは、異なる複数の記録フォーマットで記録した情報記録媒体においても、それぞれの記録フォーマットに対応した画像処理プログラムで、画像処理ができるので容易に、すべてのフォーマットに対応して、本発明の求める画像処理を行うことができる。
【０２６０】
また、画像フォーマットとそれに対応する処理プログラムが同一の情報記録媒体により提供されるので、本システムは、情報記録媒体の画像フォ―マットに対応して、その動作を自動的に対応する動作に設定することができるので、情報記録媒体に応じて動作プログラムを設定する必要がないので、容易に本発明を実行できるものである。
【０２６１】
（応用例）
更に発展させると、前述のフォーマットで記録した画像データであれば、デジタルカメラ或はパソコン等から種々のインターフェースを介して転送されてくれば或はインターネット等を介して、転送された場合、出力の指示が装置１０において認識された場合は、つまり、課金等を伴う場合は、何らかの認証が必要であるものの、着信の後は、以上の実施例で説明した様に、媒体をセットしたことと同義である。従って場合によっては、認証等を含めた用語としての「着信」を該装置が、認識した後は、上述の実施例と同様の制御が行なわれる。その口製図を図３０に示す。図２５と同様で、情報記録媒体１２０が汎用のインターフェースを含む。詳細は省略するが、ネットワークを介して、或はＩｒＤａ，１３９４（例えば特願平０９−０３０５４１等），パラレルインターフェース，シリアルインターフェース等を介して得られたデータが、該フォーマットに基づいているか否かを例えば図１等の各領域の存在等を見ることにより、判断して、着信を判断することができる。これを図３のステップ３００の代わりに行なうと考え、ステップ３０１等に進むと考えると、本他の実施例は、前述のそのほかの実施例全てにも適用できる。
【０２６２】
以上述べてきたように、本発明の主旨は、
画像データと、当該画像データの再生の有無を指示する画像再生指示データとを情報記録媒体に記録することを特徴とする画像ファイル方法と、
該情報記録媒体に記録された画像データと画像再生指示データなどの記録データを読み出すデータ読み取り手段と、
該記録データの中から、画像再生指示データを選択的に読み出す手段と、
該画像再生指示データに従って、必要な画像データを情報記録媒体から読み込み、再生の為の再生出力データを出力する、再生出力データ生成処理手段と、
再生出力データを再生する再生手段を有することを特徴とする画像再生方法を用いて、
情報記録媒体に記録された画像データから、所望の画像データを自動的に再生する方法、装置を提供することができる。
【０２６３】
従って、本発明は、前述の実施例に示した手順や装置構成等に限定されることなく、本発明の上記主旨内において、様々な手順、アルゴリズムや装置構成において実施することができる。
【０２６４】
本発明は、情報記録媒体に記録された画像の中から所望の画像を自動的に特定して、この画像が形成されたプリントを迅速に得ることのできる、画像ファイル方法及び画像再生方法を提供することができる。本発明は、画像データと、当該画像データの再生の有無を指示する画像再生指示データとを情報記録媒体に記録することができるファイルフォーマットを提供することができる。
【０２６５】
本発明によれば、該情報記録媒体に記録された画像データと画像再生指示データなどの記録データを読み出すデータ読み取り手段と、
該記録データの中から、画像再生指示データを選択的に読み出す手段と、
該画像再生指示データに従って、必要な画像データを情報記録媒体から読み込み、再生の為の再生出力データを出力する、再生出力データ生成処理手段と、
再生出力データを再生する再生手段を有する装置を提供することができる。
【０２６６】
本発明によれば、
情報記録媒体には、画像データと当該画像データの再生の有無を指示する画像再生指示データが記録され、上記情報記録媒体に記録されている記録データの中から画像再生指示データが選択的に読み出され、この画像再生指示データに従って、必要な画像データが情報記録媒体から読み込まれ、再生出力データ生成処理が行われ、所望の画像データが再生される処理方法を提供することができる。
【０２６７】
本発明の更なる改良により、情報記録媒体に画像データと当該画像データの再生の有無を指示する画像再生指示データを記録し、上記情報記録媒体に記録されている記録データの中から画像再生指示データを選択的に読み出し、この画像再生指示データに従って必要な画像データを情報記録媒体から読み込み、再生出力データ生成処理を行い、所望の画像データを再生する方法および装置、システムは、情報記録媒体に記録された画像の中から所望の画像を自動的に特定して再生出力できるので、操作者の手を煩わせることなく、迅速に所望の画像のプリントを得ることができる。
【０２６８】
本発明の更なる改良により、例えば、すでに情報記録媒体に記録されている画像データで、画像再生をするべく選択し画像再生指示データを与えた画像データを削除し、画像再生指示データについて非選択の処理を行わなかった時等に発生することであるが、画像再生すべき画像データがないことにより生じる画像再生動作のエラーを防止することができるので、自動的に画像再生を行う時には、生じる動作の異常終了を防止して、自動再生を効率良く実行することができる。
【０２６９】
本発明によれば、記録媒体にあって、画像データの再生の有無を指示する画像再生指示データが画像再生が指示される画像を特定する様にし、前記再生指示データに基づいて、前記特定される画像データを選択的に出力可能な様に、前記画像データと前記再生指示データを格納している記録媒体を提供することができる。
【０２７０】
更に、前記画像再生指示データに基づく前記画像データの再生を制御するプログラムが格納でき、前記画像再生指示データは、各画像データ毎に格納されており、前記画像再生指示データは、各画像データの名称に付与されている。
【０２７１】
前記画像再生指示データは、特定ファイルに再生すべき画像データを指示する情報が格納されている。
【０２７２】
また記録媒体の装着を認識する機能と、
前記装着の認識に基づいて、記録媒体に記録された画像再生指示データを読み出す読み出し機能と、
該画像再生指示データに従って、必要な画像データを情報記録媒体から選択的に読み込み、出力の為の画像生成を行う生成機能と、
を有する処理方法を提供することができる。
【０２７３】
また記録媒体の装着を認識する認識手段、
前記装着の認識に基づいて、記録媒体に記録された画像再生指示データを読み出す読み出し手段と、
該画像再生指示データに従って、必要な画像データを情報記録媒体から読み込み、出力の為の画像生成を行う生成手段と、
を有する画像処理装置を提供することができる。
【０２７４】
また媒体の装着を判断する判断機能と、
前記判断機能により、前記媒体が装着されていると判断された場合は、前記媒体に画像出力プログラムが格納されているか否かを判別する判別機能と、
前記判別機能により、前記画像出力プログラムが格納されていると判別された場合、前記画像出力プログラムに従って、選択的に出力すべき画像の出力をさせるべく出力を制御する制御機能とを有する処理方法を提供することができる。
【０２７５】
また制御機能は、更に前記媒体に画像再生指示データが格納されているか否かを判定する機能を有し、格納されていると判定された場合、前記制御機能は、前記画像再生指示データによって指示される画像データを選択的に出力するべく出力を制御することができる。また、前記制御機能は、前記判別機能により、前記画像出力プログラムが格納されていると判別された場合、前記画像出力プログラムを読み込む機能を含むことができる。
【０２７６】
また、媒体の装着を判断する判断手段と、
前記判断手段により、前記媒体が装着されていると判断された場合に、前記媒体に画像出力プログラムが格納されているか否かを判別する判別手段と、
前記判別手段により、前記画像出力プログラムが格納されていると判別された場合に、前記画像出力プログラムに従って、出力すべき画像の出力を制御する制御手段とを有する処理装置を提供することができる。
【０２７７】
また、前記制御手段は、更に前記媒体に画像再生指示データが格納されているか否かを判定する機能を有し、格納されていると判定された場合、前記制御手段は、前記画像再生指示データによって指示される画像データを選択的に出力するべく出力を制御することができる。また、前記判別手段により、前記媒体に前記出力プログラムが格納されていないと判別された場合、前記装置に内蔵されている出力プログラムに従って、出力すべき画像の出力を制御する制御手段とを有することができる。
【０２７８】
また、前記制御手段は、更に前記媒体に画像再生指示データが格納されているか否かを判定する機能を有し、格納されていると判定された場合、前記制御手段は、前記画像再生指示データによって指示される画像データを前記装置内蔵の出力プログラムに基づいて選択的に出力するべく出力を制御することができる。また、画像出力プログラムが格納された媒体がセットされたか否かを判断する判断機能と、前記判断機能により、前記プログラム用の媒体がセットされていると判断された場合は、前記前記画像出力プログラムに従って、選択的に出力すべき画像の出力をさせるべく出力を制御する制御機能とを有する処理方法を提供することができる。
【０２７９】
また、前記判断機能は、画像データを格納した媒体がセットされたか否かを判断する機能も有していることができる。また、前記判断機能は、画像出力プログラムが格納された媒体と、画像データが格納された媒体がそれぞれセットされているか否かを判断することができる。
【０２８０】
また、前記判断機能は、更に画像データが画像再生指示データが格納されているか否かを判定する機能を有し、格納されていると判定された場合、前記制御機能は、前記画像再生指示データによって指示される画像データを選択的に出力するべく出力を制御することができる。
【０２８１】
また、前記制御機能は、前記判断機能により、前記画像出力プログラムが格納されていると判別された場合、前記画像出力プログラムを読み込む機能を含むことができる。
【０２８２】
また、前記判断機能は、媒体のセット及び画像出力プログラムが格納されている媒体のセット及び画像データが格納された媒体のセットを判断することができる。
【０２８３】
また、画像出力プログラムが格納された媒体がセットされたか否かを判断する判断手段と、前記判断手段により、前記プログラム用の媒体がセットされていると判断された場合は、前記前記画像出力プログラムに従って、選択的に出力すべき画像の出力をさせるべく出力を制御する制御手段とを有する処理装置を提供することができる。
【０２８４】
また、前記判断手段は、画像データを格納した媒体がセットされたか否かを判断する機能も有していることができる。
【０２８５】
また、前記判断手段は、画像出力プログラムが格納された媒体と、画像データが格納された媒体がそれぞれセットされているか否かを判断することができる。
【０２８６】
また、前記判断手段は、更に画像データが画像再生指示データが格納されているか否かを判定する機能を有し、格納されていると判定された場合、前記制御手段は、前記画像再生指示データによって指示される画像データを選択的に出力するべく出力を制御することができる。
【０２８７】
また、前記制御手段は、前記判断手段により、前記画像出力プログラムが格納されていると判別された場合、前記画像出力プログラムを読み込む機能を含むことができる。
【０２８８】
また、前記判断手段は、媒体のセット及び画像出力プログラムが格納されている媒体のセット及び画像データが格納された媒体のセットを判断する。
【０２８９】
また、更に、前記画像再生指示データに基づく前記画像データの再生を制御するプログラムが前記媒体に格納されていることができる。
【０２９０】
また、前記画像再生指示データは、各画像データ毎に格納されていることができる。
【０２９１】
また、前記画像再生指示データは、各画像データの名称に付与されていることができる。
【０２９２】
また、前記画像再生指示データは、特定ファイルに再生すべき画像データを指示する情報が格納されていることができる。また、更に、前記画像再生指示データに基づく前記画像データの再生を制御するプログラムが前記媒体に格納されていることができる。
【０２９３】
また、前記画像再生指示データは、各画像データ毎に格納されていることができる。
【０２９４】
また、前記画像再生指示データは、各画像データの名称に付与されていることができる。また、前記画像再生指示データは、特定ファイルに再生すべき画像データを指示する情報が格納されていることができる。
【０２９５】
また、前記出力は、インクジェットプリンタ、昇華プリンタや銀塩プリンタ等のハードコピー出力装置等のいずれかにより遂行されることができる。また、前記出力は、ＣＲＴ、ＬＣＤやプラズマディスプレー等のソフトコピー出力装置により遂行されることができる。また、記録媒体の装着を認識する機能と、前記装着の認識に基づいて、記録媒体に記録された画像再生指示データを読み出す機能と、該画像再生指示データに従って、必要な画像データを情報記録媒体から選択的に読み込み、出力の為の画像生成を行う生成機能と、を有する記録媒体を提供することができる。
【０２９６】
また、媒体の装着を判断する判断機能と、前記判断機能により、前記媒体が装着されていると判断された場合は、前記媒体に画像出力プログラムが格納されているか否かを判別する判別機能と、前記判別機能により、前記画像出力プログラムが格納されていると判別された場合、前記画像出力プログラムに従って、選択的に出力すべき画像の出力をさせるべく出力を制御する制御機能とを有する記録媒体を提供することができる。請求項４１にあっては、画像出力プログラムが格納された媒体がセットされたか否かを判断する判断機能と、前記判断機能により、前記プログラム用の媒体がセットされていると判断された場合は、前記前記画像出力プログラムに従って、選択的に出力すべき画像の出力をさせるべく出力を制御する記録媒体を提供することができる。
【０２９７】
また、以上の発明の更なる改良について、また、画像データの再生の有無を指示する画像再生指示データが画像再生が指示される画像を特定する様にし、前記再生指示データに基づいて、前記特定される画像データを選択的に出力可能な様に、前記画像データと前記再生指示データを格納した記録媒体の装着を認識する認識手段、前記認識手段による前記記録媒体の装着の認識に基づいて、前記記録媒体に記録された画像再生指示データを読み出す読み出し手段と、該画像再生指示データに従って、必要な画像データを情報記録媒体から読み込み、出力の為の画像生成を行う生成手段とを有する画像処理装置を提供することができる。
【０２９８】
また、更に、前記記録媒体には、前記画像再生指示データに基づく前記画像データの再生を制御するプログラムが格納されている。
【０２９９】
また、前記画像再生指示データは、各画像データ毎に格納されている画像処理装置を提供することができる。
【０３００】
また、前記画像再生指示データは、各画像データの名称に付与されている画像処理装置を提供することができる。
【０３０１】
また、前記画像再生指示データは、特定ファイルに再生すべき画像データを指示する情報が格納されている画像処理装置を提供することができる。
【０３０２】
また、前記再生指示データに基づき、出力装置において画像データを選択的に出力可能とするフォーマットに基づく前記画像データと前記再生指示データの着信を認識する認識制御手段、前記認識手段による前記画像データと前記再生指示データの着信の認識に基づいて、前記画像再生指示データを読み出す読み出し制御手段と、該画像再生指示データに従って、前記画像データの中から選択的に必要な画像データに対して出力の為の画像生成を行う生成制御手段と、を有する画像処理装置を提供することができる。
【０３０３】
また、前記画像再生指示データは、各画像データ毎に格納されている画像処理装置を提供することができる。
【０３０４】
また、前記画像再生指示データは、各画像データの名称に付与されている画像処理装置を提供することができる。
【０３０５】
また、前記画像再生指示データは、特定ファイルに再生すべき画像データを指示する情報が格納されている画像処理装置を提供することができる。
【０３０６】
また、前記認識手段は、前記画像再生指示データ及び前記画像データを受けたことを認識する画像処理装置を提供することができる。
【０３０７】
また、情報記録媒体に記録された画像データと画像出力指示データを含む記録データを読み出すデータ読み取り手段と、
該画像出力指示データに従って必要な画像データを情報記録媒体から読み込み、出力の為の出力データを出力する出力データ生成処理手段と，
出力データを出力する出力手段と、
画像出力指示データや画像データを表示するデータ表示手段と、
画像出力指示データを解析するデータ処理手段とを有する画像処理装置を提供することができる。
【０３０８】
また、前記データ表示手段には、画像出力される画像を特定するデータの一覧を表示する画像処理装置を提供することができる。
【０３０９】
また、前記データ表示手段には、前記情報記録媒体に記録されている画像データを特定するデータと該表示画像データの出力の指示の有無を示す情報を表示する画像処理装置を提供することができる。
【０３１０】
また、情報記録媒体に記録された画像データと画像出力指示データを含む記録データを読み出すデータ読み取り手段と、
前記画像出力指示データに従って必要な画像データを情報記録媒体から読み込み、出力の為の出力データを出力する出力データ生成処理手段と，
出力データを出力する出力手段と、
画像出力に関するデータを表示するデータ表示手段と、
画像出力指示データを解析するデータ処理手段と、
該装置で現在出力可能な枚数を認識するための手段とを有する画像処理装置を提供することができる。
【０３１１】
また、前記データ表示手段には、前記データ処理手段でえられた出力する枚数の総数と、
前記現在出力可能な枚数を認識するための手段で得られる現在出力可能な枚数を比較し、出力可能な枚数より再生する枚数の方が多い時には警告表示する画像処理装置を提供することができる。
【０３１２】
また、以上の発明の更なる改良について、また、情報記録媒体にアクセスする手段と、
情報記録媒体に記録された画像データと画像出力指示データを含む記録データを読み出すデータ読み取り手段と、
前記記録データのうちの画像データの消去指示データの有無を判断する判断手段と、
前記判断手段によって、前記消去指示データが存在すると判断された場合は、前記消去指示データに基づいて、該画像データに対応する画像出力指示データを消去する画像処理装置を提供することができる。
【０３１３】
また、更に、前記情報記録媒体のデータの編集を行なうデータ編集手段とを有する画像処理装置を提供することができる。
【０３１４】
また、画像データの再生の有無を指示する画像再生指示データが画像再生が指示される画像を特定する様にし、前記再生指示データに基づいて、前記特定される画像データを選択的に出力可能な様に、前記画像データと前記再生指示データを格納した記録媒体に記録された画像再生指示データを読み出す読み出し手段と、
該画像再生指示データに従って、必要な画像データを情報記録媒体から読み込み、出力の為の画像生成を行う生成手段と、
前記画像出力指示データが与えられている画像データに対応する画像データが情報記録媒体にない時は、該画像の出力出力動作をスキップスキップ手段とを有する画像処理装置を提供することができる。
【０３１５】
また、更に、該装置の動作結果を表示する動作結果表示手段をもち、
出力動作をスキップした時には、その旨の表示を動作表示結果手段を用いて表示する画像処理装置を提供することができる。
【０３１６】
また、画像データの入力を行なう入力制御手段と、
画像データの再生の有無を指示する画像再生指示データが、画像再生が指示される画像データを特定する様にしたフォーマットに基づいて、画像データの再生の有無を指示する画像再生指示データと対応する前記画像データを記録する記録制御手段と、
を有する画像入力制御装置を提供することができる。
【０３１７】
また、前記画像再生指示データ及び画像データは、記録媒体に記録される画像入力制御装置を提供することができる。
【０３１８】
【発明の効果】
以上説明したように、本発明によれば、
記録媒体には、画像データと当該画像データの再生の有無を指示する画像再生指示データが記録される。そして、上記情報記録媒体に記録されている記録データの中から画像再生指示データが選択的に読み出され、この画像再生指示データに従って、必要な画像データが情報記録媒体から読み込まれ、再生出力データ生成処理が行われ、所望の画像データが再生される。
【０３１９】
本発明により、情報記録媒体に記録された画像の中から所望の画像を自動的に特定して、この画像が形成されたプリントを迅速に得るができるようになり、容易にかつ迅速に、情報記録媒体から所望の画像を再生出力（プリント）できるという効果が得られる。
【０３２０】
以上説明したように、本発明によれば、情報記録媒体に記録された画像データを自動的に画像再生する装置において、再生する画像を容易に確認することができる。すなわち、本発明では、画像再生する画像データを特定するための画像再生指示データファイルがあり、このファイルの内容を画像再生を行う前に把握することができるので、これにより、容易に再生画像を確認して、データ表示手段に再生画像の一覧を表示したり、データ表示手段に表示した画像に再生画像であることを示す印を付加したり、また、再生出力可能枚数と総出力枚数を比較して、出力可能枚数が足りないときには、警告表示をして、出力エラーを防止することができる。従って、本発明により、情報記録媒体に記録された画像の中から所望の画像を自動的に特定して、この画像が形成されたプリントを迅速に得るができるようになり、かつ、再生される画像を予め確認できるので、容易にかつ迅速に、そして、再生出力ミスを回避しながら、情報記録媒体から所望の画像を再生出力（プリント）できるという効果が得られる。
【０３２１】
以上説明してきたように、本発明によれば、画像データの消去指示に基づいて、該画像データに関する画像再生指示データを消去することが可能となる。また、画像再生指示データが与えられている画像データに対応する画像データが情報記録媒体にない時は、該画像の再生出力動作はスキップすることが可能となる。
【０３２２】
また、再生指示ファイルで特定されている画像が消去されたような場合に動作エラーを防止することが出来る。再生をスキップされた画像があること示す情報を記憶しておくことで、プリント終了後にスキップされた画像があることを確認することが可能になる。そして、その旨を報知することが可能となる。
【０３２３】
以上詳述した様に、画像データの入力を行なう入力制御手段と、
画像データの再生の有無を指示する画像再生指示データが、画像再生が指示される画像データを特定する様にしたフォーマットに基づいて、画像データの再生の有無を指示する画像再生指示データと対応する前記画像データを記録する記録制御手段とを有する画像入力制御装置を提供することが可能となった。
【図面の簡単な説明】
【図１】本発明の一実施例における情報記録媒体への記録画像ファイル形式を示す図
【図２】本発明の一実施例における画像再生を行う画像再生システム（装置）を示す図
【図３】本発明の一実施例における画像再生システムの動作フローの一例を示す図
【図４】本発明の一実施例における情報記録媒体への記録画像ファイル形式を示す図
【図５】本発明の一実施例における画像再生システムの動作フローの一例を示す図
【図６】本発明の一実施例における情報記録媒体への記録画像ファイル形式を示す図
【図７】本発明の一実施例における画像再生システムの動作フローの一例を示す図
【図８】本発明の一実施例における情報記録媒体への記録画像ファイル形式を示す図
【図９】本発明の一実施例における情報記録媒体への記録画像ファイル形式を示す図
【図１０】本発明の一実施例における画像再生システムの動作フローの一例を示す図
【図１１】本発明の一実施例における画像再生システムの動作フローの一例を示す図
【図１２】本発明の一実施例における画像再生システムの動作フローの一例を示す図
【図１３】本発明の一実施例における画像再生を行う画像再生システムを示す図
【図１４】本発明の一実施例に適用可能なプリンタ部分の構造を示す図
【図１５】本発明の一実施例に適用可能なプリンタ部分の構造を示す図
【図１６】本発明の一実施例における画像再生を行う画像再生システム（装置）を示す図
【図１７】本発明の一実施例における情報記録媒体への記録画像ファイル形式を示す図
【図１８】本発明の一実施例における情報記録媒体への記録画像ファイルの一つであるＡＵＴＯＰＲＩＮＴ．ＭＲＫファイルの記録内容例である図
【図１９】本発明の一実施例における画像再生システムの動作フローの一例を示す図
【図２０】本発明の一実施例における画像再生システムの動作フローの一例を示す図
【図２１】本発明の一実施例における画像再生を行う画像再生システム（装置）を示す図
【図２２】本発明の一実施例における画像再生システムの動作フローの一例を示す図
【図２３】本発明の一実施例における再生画像一覧表示の表示の一例である図
【図２４】本発明の一実施例における再生画像であること示す表示の一例である図
【図２５】本発明の一実施例における情報記録媒体データの編集方法を行うシステムを示す図
【図２６】本実施例のユーザインターフェイス部の表示画面を示す図
【図２７】本発明の一実施例における画像再生システムの動作フローの一例を示す図
【図２８】本発明の一実施例における画像再生を行う画像再生システム（装置）を示す図
【図２９】本発明の一実施例における画像再生システムの動作フローの一例を示す図
【図３０】本発明の一実施例における転送されてくるデータの編集方法を行うシステムを示す図
【符号の説明】
１３  データ再生部
１１  記録媒体
１４  画像再生処理部
１５  システム制御部
１８０  システム表示部
１９０  ユーザインターフェース
【図１】
0003728302.tif 000002
【図２】
0003728302.tif 000003
【図３】
0003728302.tif 000004
【図４】
0003728302.tif 000005
【図５】
0003728302.tif 000006
【図６】
0003728302.tif 000007
【図７】
0003728302.tif 000008
【図８】
0003728302.tif 000009
【図９】
0003728302.tif 000010
【図１０】
0003728302.tif 000011
【図１１】
0003728302.tif 000012
【図１２】
0003728302.tif 000013
【図１３】
0003728302.tif 000014
【図１４】
0003728302.tif 000015
【図１５】
0003728302.tif 000016
【図１６】
0003728302.tif 000017
【図１７】
0003728302.tif 000018
【図１８】
0003728302.tif 000019
【図１９】
0003728302.tif 000020
【図２０】
0003728302.tif 000021
【図２１】
0003728302.tif 000022
【図２２】
0003728302.tif 000023
【図２３】
0003728302.tif 000024
【図２４】
0003728302.tif 000025
【図２５】
0003728302.tif 000026
【図２６】
0003728302.tif 000027
【図２７】
0003728302.tif 000028
【図２８】
0003728302.tif 000029
【図２９】
0003728302.tif 000030
【図３０】
0003728302.tif 000031